(57)【特許請求の範囲】
【請求項１】
キャリアアグリゲーションを行うための端末装置（ＵＥ）であって、
プロセッサと、
前記プロセッサと電子通信を行うメモリとを備え、前記メモリに記憶された命令は、
キャリアアグリゲーションのための少なくも２つの在圏セルの各々の多重方式を確定するために実行可能であり、
前記少なくも２つの在圏セルのうちのプライマリセルが時分割多重（ＴＤＤ）セルであり、前記少なくも２つの在圏セルのうちの１つのセカンダリセルが周波数分割多重（ＦＤＤ）セルであり、
前記命令は、
特定の在圏セルのための物理下りリンク共有チャネル（ＰＤＳＣＨ）ハイブリッド自動再送要求肯定応答／否定応答（ＨＡＲＱ−ＡＣＫ）送信タイミングを確定するために実行可能であり、
前記特定の在圏セルのための前記ＰＤＳＣＨ  ＨＡＲＱ−ＡＣＫ送信タイミングは、前記特定の在圏セルのための下りリンク（ＤＬ）アソシエーションセットに基づいて確定され、
前記特定の在圏セルのための前記ＤＬアソシエーションセットは、プライマリセルＵＬ／ＤＬ構成に基づいて確定されるＤＬ参照ＵＬ／ＤＬ構成に基づいて、ＦＤＤ  ＤＬアソシエーションセットのためのテーブルを用いて確定され、
前記テーブルは、ＤＬ参照ＵＬ／ＤＬ構成０からＤＬ参照ＵＬ／ＤＬ構成６までの各々について、対応するＤＬアソシエーションセットを示すものであり、
前記命令は、
ＰＤＳＣＨ  ＨＡＲＱ−ＡＣＫ情報を前記ＰＤＳＣＨ  ＨＡＲＱ−ＡＣＫ送信タイミングに基づいて送信するために
実行可能である、
端末装置（ＵＥ）。
【請求項２】
前記少なくも２つの在圏セルは、前記プライマリセルと、前記ＦＤＤセルである前記１つのセカンダリセルと、ＴＤＤセルである別のセカンダリセルとを含む、少なくとも３つの在圏セルであり、
前記特定の在圏セルが前記１つのセカンダリセルである場合には、前記ＤＬ参照ＵＬ／ＤＬ構成が前記プライマリセルＵＬ／ＤＬ構成に基づいて確定され、
前記特定の在圏セルが前記別のセカンダリセルである場合には、前記ＤＬ参照ＵＬ／ＤＬ構成が前記プライマリセルＵＬ／ＤＬ構成と前記特定の在圏セルのＵＬ／ＤＬ構成とに基づいて確定される、請求項１に記載のＵＥ。
【請求項３】
キャリアアグリゲーションを行うための基地局装置（ｅＮＢ）であって、
プロセッサと、
前記プロセッサと電子通信を行うメモリとを備え、前記メモリに記憶された命令は、
キャリアアグリゲーションのための少なくも２つの在圏セルの各々の多重方式を確定するために実行可能であり、
前記少なくも２つの在圏セルのうちのプライマリセルが時分割多重（ＴＤＤ）セルであり、前記少なくも２つの在圏セルのうちの１つのセカンダリセルが周波数分割多重（ＦＤＤ）セルであり、
前記命令は、
特定の在圏セルのための物理下りリンク共有チャネル（ＰＤＳＣＨ）ハイブリッド自動再送要求肯定応答／否定応答（ＨＡＲＱ−ＡＣＫ）送信タイミングを確定するために実行可能であり、
前記特定の在圏セルのための前記ＰＤＳＣＨ  ＨＡＲＱ−ＡＣＫ送信タイミングは、前記特定の在圏セルのための下りリンク（ＤＬ）アソシエーションセットに基づいて確定され、
前記特定の在圏セルのための前記ＤＬアソシエーションセットは、プライマリセルＵＬ／ＤＬ構成に基づいて確定されるＤＬ参照ＵＬ／ＤＬ構成に基づいて、ＦＤＤ  ＤＬアソシエーションセットのためのテーブルを用いて確定され、
前記テーブルは、ＤＬ参照ＵＬ／ＤＬ構成０からＤＬ参照ＵＬ／ＤＬ構成６までの各々について、対応するＤＬアソシエーションセットを示すものであり、
前記命令は、
ＰＤＳＣＨ  ＨＡＲＱ−ＡＣＫ情報を前記ＰＤＳＣＨ  ＨＡＲＱ−ＡＣＫ送信タイミングに基づいて受信するために
実行可能である、基地局装置（ｅＮＢ）。
【請求項４】
前記少なくも２つの在圏セルは、前記プライマリセルと、前記ＦＤＤセルである前記１つのセカンダリセルと、ＴＤＤセルである別のセカンダリセルとを含む、少なくとも３つの在圏セルであり、
前記特定の在圏セルが前記１つのセカンダリセルである場合には、前記ＤＬ参照ＵＬ／ＤＬ構成が前記プライマリセルＵＬ／ＤＬ構成に基づいて確定され、
前記特定の在圏セルが前記別のセカンダリセルである場合には、前記ＤＬ参照ＵＬ／ＤＬ構成が前記プライマリセルＵＬ／ＤＬ構成と前記特定の在圏セルのＵＬ／ＤＬ構成とに基づいて確定される、請求項３に記載のｅＮＢ。
【請求項５】
端末装置（ＵＥ）によってキャリアアグリゲーションを行うための方法であって、
キャリアアグリゲーションのための少なくも２つの在圏セルの各々の多重方式を確定するステップを含み、
前記少なくも２つの在圏セルのうちのプライマリセルが時分割多重（ＴＤＤ）セルであり、前記少なくも２つの在圏セルのうちの１つのセカンダリセルが周波数分割多重（ＦＤＤ）セルであり、
特定の在圏セルのための物理下りリンク共有チャネル（ＰＤＳＣＨ）ハイブリッド自動再送要求肯定応答／否定応答（ＨＡＲＱ−ＡＣＫ）送信タイミングを確定するステップを含み、
前記特定の在圏セルのための前記ＰＤＳＣＨ  ＨＡＲＱ−ＡＣＫ送信タイミングは、前記特定の在圏セルのための下りリンク（ＤＬ）アソシエーションセットに基づいて確定され、
前記特定の在圏セルのための前記ＤＬアソシエーションセットは、プライマリセルＵＬ／ＤＬ構成に基づいて確定されるＤＬ参照ＵＬ／ＤＬ構成に基づいて、ＦＤＤ  ＤＬアソシエーションセットのためのテーブルを用いて確定され、
前記テーブルは、ＤＬ参照ＵＬ／ＤＬ構成０からＤＬ参照ＵＬ／ＤＬ構成６までの各々について、対応するＤＬアソシエーションセットを示すものであり、
ＰＤＳＣＨ  ＨＡＲＱ−ＡＣＫ情報を前記ＰＤＳＣＨ  ＨＡＲＱ−ＡＣＫ送信タイミングに基づいて送信するステップを含む、方法。
【請求項６】
前記少なくも２つの在圏セルは、前記プライマリセルと、前記ＦＤＤセルである前記１つのセカンダリセルと、ＴＤＤセルである別のセカンダリセルとを含む、少なくとも３つの在圏セルであり、
前記特定の在圏セルが前記１つのセカンダリセルである場合には、前記ＤＬ参照ＵＬ／ＤＬ構成が前記プライマリセルＵＬ／ＤＬ構成に基づいて確定され、
前記特定の在圏セルが前記別のセカンダリセルである場合には、前記ＤＬ参照ＵＬ／ＤＬ構成が前記プライマリセルＵＬ／ＤＬ構成と前記特定の在圏セルのＵＬ／ＤＬ構成とに基づいて確定される、請求項５に記載の方法。
【請求項７】
基地局装置（ｅＮＢ）によってキャリアアグリゲーションを行うための方法であって、
キャリアアグリゲーションのための少なくも２つの在圏セルの各々の多重方式を確定するステップを含み、
前記少なくも２つの在圏セルのうちのプライマリセルが時分割多重（ＴＤＤ）セルであり、前記少なくも２つの在圏セルのうちの１つのセカンダリセルが周波数分割多重（ＦＤＤ）セルであり、
特定の在圏セルのための物理下りリンク共有チャネル（ＰＤＳＣＨ）ハイブリッド自動再送要求肯定応答／否定応答（ＨＡＲＱ−ＡＣＫ）送信タイミングを確定するステップを含み、
前記特定の在圏セルのための前記ＰＤＳＣＨ  ＨＡＲＱ−ＡＣＫ送信タイミングは、前記特定の在圏セルのための下りリンク（ＤＬ）アソシエーションセットに基づいて確定され、
前記特定の在圏セルのための前記ＤＬアソシエーションセットは、プライマリセルＵＬ／ＤＬ構成に基づいて確定されるＤＬ参照ＵＬ／ＤＬ構成に基づいて、ＦＤＤ  ＤＬアソシエーションセットのためのテーブルを用いて確定され、
前記テーブルは、ＤＬ参照ＵＬ／ＤＬ構成０からＤＬ参照ＵＬ／ＤＬ構成６までの各々について、対応するＤＬアソシエーションセットを示すものであり、
ＰＤＳＣＨ  ＨＡＲＱ−ＡＣＫ情報を前記ＰＤＳＣＨ  ＨＡＲＱ−ＡＣＫ送信タイミングに基づいて受信するステップを含む、方法。
【請求項８】
前記少なくも２つの在圏セルは、前記プライマリセルと、前記ＦＤＤセルである前記１つのセカンダリセルと、ＴＤＤセルである別のセカンダリセルとを含む、少なくとも３つの在圏セルであり、
前記特定の在圏セルが前記１つのセカンダリセルである場合には、前記ＤＬ参照ＵＬ／ＤＬ構成が前記プライマリセルＵＬ／ＤＬ構成に基づいて確定され、
前記特定の在圏セルが前記別のセカンダリセルである場合には、前記ＤＬ参照ＵＬ／ＤＬ構成が前記プライマリセルＵＬ／ＤＬ構成と前記特定の在圏セルのＵＬ／ＤＬ構成とに基づいて確定される、請求項７に記載の方法。
【発明の詳細な説明】
【技術分野】
【０００１】
本開示は、一般に、通信システムに関する。より具体的には、本開示は、キャリアアグリゲーションのためのシステムおよび方法に関する。
【背景技術】
【０００２】
ワイヤレス通信デバイスは、消費者ニーズを満たし、可搬性と便利さとを改善するためにより小さく、より強力になった。消費者は、ワイヤレス通信デバイスに依存するようになり、高信頼性のサービス、カバレッジエリアの拡大および機能性の向上を期待するようになった。ワイヤレス通信システムは、多数のワイヤレス通信デバイスに通信を提供し、それぞれのデバイスが基地局によるサービスを享受する。基地局は、ワイヤレス通信デバイスと通信するデバイスである。
【０００３】
ワイヤレス通信デバイスが進歩するにつれて、通信容量、速度、フレキシビリティおよび／または効率の向上が求められてきた。しかしながら、通信容量、速度、フレキシビリティおよび／または効率を向上させることがいくつかの問題を提起することがある。
【０００４】
例えば、ワイヤレス通信デバイスは、通信構造を用いて１つ以上のデバイスと通信する。しかしながら、用いられる通信構造は、限られたフレキシビリティおよび／または効率を提供するに過ぎない。この考察により示されるように、通信のフレキシビリティおよび／または効率を向上させるシステムおよび方法が有益であろう。
【発明の概要】
【課題を解決するための手段】
【０００５】
本発明の一実施形態は、キャリアアグリゲーションを行うための端末装置（ＵＥ：Ｕｓｅｒ  Ｅｑｕｉｐｍｅｎｔ）を開示し、ＵＥは、プロセッサと、プロセッサと電子通信を行うメモリとを備え、メモリに記憶された命令は、周波数分割多重（ＦＤＤ：ｆｒｅｑｕｅｎｃｙ−ｄｉｖｉｓｉｏｎ  ｄｕｐｌｅｘｉｎｇ）および時分割多重（ＴＤＤ：ｔｉｍｅ  ｄｉｖｉｓｉｏｎ  ｄｕｐｌｅｘｉｎｇ）キャリアアグリゲーションのための各在圏セルであって、少なくとも１つの在圏セルがＴＤＤセルであり、少なくとも１つの在圏セルがＦＤＤセルである、各在圏セルの多重方式を確定するため；在圏セルのための物理下りリンク共有チャネル（ＰＤＳＣＨ：ｐｈｙｓｉｃａｌ  ｄｏｗｎｌｉｎｋ  ｓｈａｒｅｄ  ｃｈａｎｎｅｌ）ハイブリッド自動再送要求肯定応答／否定応答（ＨＡＲＱ−ＡＣＫ：Ｈｙｂｒｉｄ  Ａｕｔｏｍａｔｉｃ  Ｒｅｐｅａｔ  Ｒｅｑｕｅｓｔ  Ａｃｋｎｏｗｌｅｄｇｅｍｅｎｔ／Ｎｅｇａｔｉｖｅ  Ａｃｋｎｏｗｌｅｄｇｅｍｅｎｔ）送信タイミングであって、プライマリセルがＴＤＤセルであるとき、在圏セルのためのＰＤＳＣＨ  ＨＡＲＱ−ＡＣＫ送信タイミングが在圏セルのための下りリンク（ＤＬ：ｄｏｗｎｌｉｎｋ）アソシエーションセットに基づいて確定される、ＰＤＳＣＨ  ＨＡＲＱ−ＡＣＫ送信タイミングを確定するため；および、ＰＤＳＣＨ  ＨＡＲＱ−ＡＣＫ情報をＰＤＳＣＨ  ＨＡＲＱ−ＡＣＫ送信タイミングに基づいて送信するために実行可能である。
【０００６】
本発明の別の実施形態は、キャリアアグリゲーションを行うための基地局装置（ｅＮＢ：ｅｖｏｌｖｅｄ  Ｎｏｄｅ  Ｂ）を開示し、ｅＮＢは、プロセッサと、プロセッサと電子通信を行うメモリとを備え、メモリに記憶された命令は、周波数分割多重（ＦＤＤ）および時分割多重（ＴＤＤ）キャリアアグリゲーションのための各在圏セルであって、少なくとも１つの在圏セルがＴＤＤセルであり、少なくとも１つの在圏セルがＦＤＤセルである、各在圏セルの多重方式を確定するため；在圏セルのための物理下りリンク共有チャネル（ＰＤＳＣＨ）ハイブリッド自動再送要求肯定応答／否定応答（ＨＡＲＱ−ＡＣＫ）送信タイミングであって、プライマリセルがＴＤＤセルであるとき、在圏セルのためのＰＤＳＣＨ  ＨＡＲＱ−ＡＣＫ送信タイミングが在圏セルのための下りリンク（ＤＬ）アソシエーションセットに基づいて確定される、ＰＤＳＣＨ  ＨＡＲＱ−ＡＣＫ送信タイミングを確定するため；およびＰＤＳＣＨ  ＨＡＲＱ−ＡＣＫ情報をＰＤＳＣＨ  ＨＡＲＱ−ＡＣＫ送信タイミングに基づいて受信するために実行可能である。
【０００７】
本発明の別の実施形態は、端末装置（ＵＥ）によってキャリアアグリゲーションを行うための方法を開示し、方法は、周波数分割多重（ＦＤＤ）および時分割多重（ＴＤＤ）キャリアアグリゲーションのための各在圏セルであって、少なくとも１つの在圏セルがＴＤＤセルであり、少なくとも１つの在圏セルがＦＤＤセルである、各在圏セルの多重方式を確定するステップと；在圏セルのための物理下りリンク共有チャネル（ＰＤＳＣＨ）ハイブリッド自動再送要求肯定応答／否定応答（ＨＡＲＱ−ＡＣＫ）送信タイミングであって、プライマリセルがＴＤＤセルであるとき、在圏セルのためのＰＤＳＣＨ  ＨＡＲＱ−ＡＣＫ送信タイミングが在圏セルのための下りリンク（ＤＬ）アソシエーションセットに基づいて確定される、ＰＤＳＣＨ  ＨＡＲＱ−ＡＣＫ送信タイミングを確定するステップと；ＰＤＳＣＨ  ＨＡＲＱ−ＡＣＫ情報をＰＤＳＣＨ  ＨＡＲＱ−ＡＣＫ送信タイミングに基づいて送信するステップとを備える。
【０００８】
本発明の別の実施形態は、基地局装置（ｅＮＢ）によってキャリアアグリゲーションを行うための方法を開示し、方法は、周波数分割多重（ＦＤＤ）および時分割多重（ＴＤＤ）キャリアアグリゲーションのための各在圏セルであって、少なくとも１つの在圏セルがＴＤＤセルであり、少なくとも１つの在圏セルがＦＤＤセルである、各在圏セルの多重方式を確定するステップと；在圏セルのための物理下りリンク共有チャネル（ＰＤＳＣＨ）ハイブリッド自動再送要求肯定応答／否定応答（ＨＡＲＱ−ＡＣＫ）送信タイミングであって、プライマリセルがＴＤＤセルであるとき、在圏セルのためのＰＤＳＣＨ  ＨＡＲＱ−ＡＣＫ送信タイミングが在圏セルのための下りリンク（ＤＬ）アソシエーションセットに基づいて確定される、ＰＤＳＣＨ  ＨＡＲＱ−ＡＣＫ送信タイミングを確定するステップと；ＰＤＳＣＨ  ＨＡＲＱ−ＡＣＫ情報をＰＤＳＣＨ  ＨＡＲＱ−ＡＣＫ送信タイミングに基づいて受信するステップとを備える。
【図面の簡単な説明】
【０００９】
【図１】キャリアアグリゲーションのためのシステムおよび方法が実装された１つ以上の基地局装置（ｅＮＢ）および１つ以上の端末装置（ＵＥ）の一実装を示すブロック図である。
【図２】ＵＥによってキャリアアグリゲーションを行うための方法の一実装を示すフロー図である。
【図３】ｅＮＢによってキャリアアグリゲーションを行うための方法の一実装を示すフロー図である。
【図４】本明細書に開示されるシステムおよび方法に従って用いられる無線フレームの一例を示す図である。
【図５】本明細書に記載されるシステムおよび方法によるいくつかの時分割多重（ＴＤＤ）上り下りリンク（ＵＬ／ＤＬ）構成を示す図である。
【図６】周波数分割多重（ＦＤＤ）セルのアソシエーション・タイミングを示す。
【図７Ａ】ＦＤＤセルのための下りリンク・アソシエーションセットの第１の実装を示す。
【図７Ｂ】ＦＤＤセルのための下りリンク・アソシエーションセットの第１の実装を示す。
【図８Ａ】ＦＤＤセルのための下りリンク・アソシエーションセットの第２の実装を示す。
【図８Ｂ】ＦＤＤセルのための下りリンク・アソシエーションセットの第２の実装を示す。
【図９】ＦＤＤセルのための下りリンク・アソシエーションセットの第３の実装を示す。
【図１０】プライマリセル（ＰＣｅｌｌ：ｐｒｉｍａｒｙ  ｃｅｌｌ）上のみの物理上りリンク制御チャネル（ＰＵＣＣＨ：ｐｈｙｓｉｃａｌ  ｕｐｌｉｎｋ  ｃｏｎｔｒｏｌ  ｃｈａｎｎｅｌ）レポーティングを伴うキャリアアグリゲーションの様々なケースを示す。
【図１１】構成されたＰＵＣＣＨレポーティング・セルを用いたＰＵＣＣＨレポーティングを伴うキャリアアグリゲーションの様々なケースを示す。
【図１２】ＵＥにおいて利用される様々なコンポーネントを示す。
【図１３】ｅＮＢにおいて利用される様々なコンポーネントを示す。
【図１４】キャリアアグリゲーションを行うためのシステムおよび方法が実装されたＵＥの一構成を示すブロック図にある。
【図１５】キャリアアグリゲーションを行うためのシステムおよび方法が実装されたｅＮＢの一構成を示すブロック図にある。
【発明を実施するための形態】
【００１０】
キャリアアグリゲーションを行うためのＵＥが記載される。ＵＥは、プロセッサと、プロセッサと電子通信を行うメモリとを含む。実行可能な命令は、メモリに記憶される。ＵＥは、周波数分割多重（ＦＤＤ）および時分割多重（ＴＤＤ）キャリアアグリゲーションのための各在圏セルの多重方式を確定する。少なくとも１つの在圏セルはＴＤＤセルであり、少なくとも１つの在圏セルはＦＤＤセルである。ＵＥは、在圏セルのための物理下りリンク共有チャネル（ＰＤＳＣＨ）ハイブリッド自動再送要求肯定応答／否定応答（ＨＡＲＱ−ＡＣＫ）送信タイミングも確定する。プライマリセルがＴＤＤセルであるとき、在圏セルのためのＰＤＳＣＨ  ＨＡＲＱ−ＡＣＫ送信タイミングは、在圏セルのための下りリンク（ＤＬ）アソシエーションセットに基づいて確定される。ＵＥは、さらに、ＰＤＳＣＨ  ＨＡＲＱ−ＡＣＫ情報をＰＤＳＣＨ  ＨＡＲＱ−ＡＣＫ送信タイミングに基づいて送信する。
【００１１】
プライマリセルがＦＤＤセルであるとき、在圏セルのためのＰＤＳＣＨ  ＨＡＲＱ−ＡＣＫ送信タイミングは、ＵＥに向けた、ＰＤＳＣＨ  ＨＡＲＱ−ＡＣＫ情報が後のサブフレームで送信される対象となる、前のサブフレームでのＰＤＳＣＨ送信の検出のときに確定される。
【００１２】
プライマリセルがＴＤＤセルであり、在圏セルがＦＤＤセルであり、在圏セルがセカンダリセルであるとき、在圏セルのためのＤＬアソシエーションセットは、プライマリセルのＤＬ参照上りリンク／下りリンク（ＵＬ／ＤＬ）構成に基づいて確定される。在圏セルのためのＤＬアソシエーションセットを確定することは、表の入力としてプライマリセルのＤＬ参照ＵＬ／ＤＬ構成を用いた、ＦＤＤセルＤＬアソシエーションセットに関する表によって在圏セルのためのＤＬアソシエーションセットを得ることを含む。ＤＬアソシエーションセットは、プライマリセルのＤＬ参照ＵＬ／ＤＬ構成のＴＤＤ  ＤＬアソシエーションセットのスーパーセットとすることもできる。ＤＬアソシエーションセットは、サブフレームをＤＬアソシエーションセット中により均等に分配するためにさらに最適化される。
【００１３】
プライマリセルがＴＤＤセルであり、在圏セルがＴＤＤセルであり、在圏セルがセカンダリセルであるとき、在圏セルのためのＤＬアソシエーションセットは、在圏セルのＤＬ参照ＵＬ／ＤＬ構成に基づいて確定される。在圏セルのＤＬ参照ＵＬ／ＤＬ構成は、プライマリセルのＴＤＤ  ＵＬ／ＤＬ構成および在圏セルのＴＤＤ  ＵＬ／ＤＬ構成に基づいて確定される。
【００１４】
物理上りリンク制御チャネル（ＰＵＣＣＨ）レポーティング・セルが構成され、ＰＵＣＣＨレポーティング・セルがＦＤＤセルであるとき、在圏セルのためのＰＤＳＣＨ  ＨＡＲＱ−ＡＣＫ送信タイミングは、ＵＥに向けた、ＰＤＳＣＨ  ＨＡＲＱ−ＡＣＫ情報が後のサブフレームで送信される対象となる、前のサブフレームでのＰＤＳＣＨ送信の検出のときに確定される。
【００１５】
ＰＵＣＣＨレポーティング・セルが構成され、ＰＵＣＣＨレポーティング・セルがＴＤＤセルであり、在圏セルがＦＤＤセルであるとき、在圏セルのためのＤＬアソシエーションセットは、ＰＵＣＣＨレポーティング・セルのＤＬ参照ＵＬ／ＤＬ構成に基づいて確定される。在圏セルのためのＤＬアソシエーションセットを確定することは、表の入力としてＰＵＣＣＨレポーティング・セルのＤＬ参照ＵＬ／ＤＬ構成を用いた、ＦＤＤセルＤＬアソシエーションセットに関する表によって在圏セルのためのＤＬアソシエーションセットを得ることを含む。ＤＬアソシエーションセットは、ＰＵＣＣＨレポーティング・セルのＤＬ参照ＵＬ／ＤＬ構成のＴＤＤ  ＤＬアソシエーションセットのスーパーセットとすることもできる。ＤＬアソシエーションセットは、サブフレームをＤＬアソシエーションセット中により均等に分配するためにさらに最適化される。
【００１６】
ＰＵＣＣＨレポーティング・セルが構成され、ＰＵＣＣＨレポーティング・セルがＴＤＤセルであり、在圏セルがＴＤＤセルであるとき、在圏セルのためのＤＬアソシエーションセットは、在圏セルのＤＬ参照ＵＬ／ＤＬ構成に基づいて確定される。在圏セルのＤＬ参照ＵＬ／ＤＬ構成は、ＰＵＣＣＨレポーティング・セルのＴＤＤ  ＵＬ／ＤＬ構成および在圏セルのＴＤＤ  ＵＬ／ＤＬ構成に基づいて確定される。
【００１７】
ＵＥは、また、各在圏セルのＰＤＳＣＨ  ＨＡＲＱ−ＡＣＫ情報をアグリゲートする。ＵＥは、さらに、アグリゲートされたＰＤＳＣＨ  ＨＡＲＱ−ＡＣＫ情報をＰＵＣＣＨまたは物理上りリンク共有チャネル（ＰＵＳＣＨ：ｐｈｙｓｉｃａｌ  ｕｐｌｉｎｋ  ｓｈａｒｅｄ  ｃｈａｎｎｅｌ）上のうちの１つで送信する。
【００１８】
キャリアアグリゲーションを行うためのｅＮＢも記載される。ｅＮＢは、プロセッサと、プロセッサと電子通信を行うメモリとを含む。実行可能な命令は、メモリに記憶される。ｅＮＢは、ＦＤＤおよびＴＤＤキャリアアグリゲーションのための各在圏セルの多重方式を確定する。少なくとも１つの在圏セルはＴＤＤセルであり、少なくとも１つの在圏セルはＦＤＤセルである。ｅＮＢは、在圏セルのためのＰＤＳＣＨ  ＨＡＲＱ−ＡＣＫ送信タイミングも確定する。プライマリセルがＴＤＤセルであるとき、在圏セルのためのＰＤＳＣＨ  ＨＡＲＱ−ＡＣＫ送信タイミングは、在圏セルのためのＤＬアソシエーションセットに基づいて確定される。ｅＮＢは、さらに、ＰＤＳＣＨ  ＨＡＲＱ−ＡＣＫ情報をＰＤＳＣＨ  ＨＡＲＱ−ＡＣＫ送信タイミングに基づいて受信する。
【００１９】
プライマリセルがＦＤＤセルであるとき、在圏セルのためのＰＤＳＣＨ  ＨＡＲＱ−ＡＣＫ送信タイミングは、ＵＥに向けた、ＰＤＳＣＨ  ＨＡＲＱ−ＡＣＫ情報が後のサブフレームで受信される対象となる、前のサブフレームでのＰＤＳＣＨ送信に基づいて確定される。
【００２０】
プライマリセルがＴＤＤセルであり、在圏セルがＦＤＤセルであり、在圏セルがセカンダリセルであるとき、在圏セルのためのＤＬアソシエーションセットは、プライマリセルのＤＬ参照ＵＬ／ＤＬ構成に基づいて確定される。在圏セルのためのＤＬアソシエーションセットを確定することは、表の入力としてプライマリセルのＤＬ参照ＵＬ／ＤＬ構成を用いた、ＦＤＤセルＤＬアソシエーションセットに関する表によって在圏セルのためのＤＬアソシエーションセットを得ることを含む。ＤＬアソシエーションセットは、プライマリセルのＤＬ参照ＵＬ／ＤＬ構成のＴＤＤ  ＤＬアソシエーションセットのスーパーセットとすることもできる。ＤＬアソシエーションセットは、サブフレームをＤＬアソシエーションセット中により均等に分配するためにさらに最適化される。
【００２１】
プライマリセルがＴＤＤセルであり、在圏セルがＴＤＤセルであり、在圏セルがセカンダリセルであるとき、在圏セルのためのＤＬアソシエーションセットは、在圏セルのＤＬ参照ＵＬ／ＤＬ構成に基づいて確定される。在圏セルのＤＬ参照ＵＬ／ＤＬ構成は、プライマリセルのＴＤＤ  ＵＬ／ＤＬ構成および在圏セルのＴＤＤ  ＵＬ／ＤＬ構成に基づいて確定される。
【００２２】
ＰＵＣＣＨレポーティング・セルが構成され、ＰＵＣＣＨレポーティング・セルがＦＤＤセルであるとき、在圏セルのためのＰＤＳＣＨ  ＨＡＲＱ−ＡＣＫ送信タイミングは、ＵＥに向けた、ＰＤＳＣＨ  ＨＡＲＱ−ＡＣＫ情報が後のサブフレームで受信される対象となる、前のサブフレームでのＰＤＳＣＨ送信に基づいて確定される。
【００２３】
ＰＵＣＣＨレポーティング・セルが構成され、ＰＵＣＣＨレポーティング・セルがＴＤＤセルであり、在圏セルがＦＤＤセルであるとき、在圏セルのためのＤＬアソシエーションセットは、ＰＵＣＣＨレポーティング・セルのＤＬ参照ＵＬ／ＤＬ構成に基づいて確定される。在圏セルのためのＤＬアソシエーションセットを確定することは、表の入力としてＰＵＣＣＨレポーティング・セルのＤＬ参照ＵＬ／ＤＬ構成を用いた、ＦＤＤセルＤＬアソシエーションセットに関する表によって在圏セルのためのＤＬアソシエーションセットを得ることを含む。ＤＬアソシエーションセットは、ＰＵＣＣＨレポーティング・セルのＤＬ参照ＵＬ／ＤＬ構成のＴＤＤ  ＤＬアソシエーションセットのスーパーセットとすることもできる。ＤＬアソシエーションセットは、サブフレームをＤＬアソシエーションセット中により均等に分配するためにさらに最適化される。
【００２４】
ＰＵＣＣＨレポーティング・セルが構成され、ＰＵＣＣＨレポーティング・セルがＴＤＤセルであり、在圏セルがＴＤＤセルであるとき、在圏セルのＤＬアソシエーションセットは、在圏セルのＤＬ参照ＵＬ／ＤＬ構成に基づいて確定される。在圏セルのＤＬ参照ＵＬ／ＤＬ構成は、ＰＵＣＣＨレポーティング・セルのＴＤＤ  ＵＬ／ＤＬ構成および在圏セルのＴＤＤ  ＵＬ／ＤＬ構成に基づいて確定される。
【００２５】
ｅＮＢは、また、アグリゲートされたＰＤＳＣＨ  ＨＡＲＱ−ＡＣＫ情報をＰＵＣＣＨまたはＰＵＳＣＨ上のうちの１つで受信する。アグリゲートされたＰＤＳＣＨ  ＨＡＲＱ−ＡＣＫ情報は、各在圏セルのＰＤＳＣＨ  ＨＡＲＱ−ＡＣＫ情報を含む。
【００２６】
ＵＥによってキャリアアグリゲーションを行うための方法も記載される。方法は、ＦＤＤおよびＴＤＤキャリアアグリゲーションのための各在圏セルの多重方式を確定するステップを含む。少なくとも１つの在圏セルはＴＤＤセルであり、少なくとも１つの在圏セルはＦＤＤセルである。方法は、在圏セルのためのＰＤＳＣＨ  ＨＡＲＱ−ＡＣＫ送信タイミングを確定するステップも含む。プライマリセルがＴＤＤセルであるとき、在圏セルのためのＰＤＳＣＨ  ＨＡＲＱ−ＡＣＫ送信タイミングは、在圏セルのためのＤＬアソシエーションセットに基づいて確定される。方法は、さらに、ＰＤＳＣＨ  ＨＡＲＱ−ＡＣＫ情報をＰＤＳＣＨ  ＨＡＲＱ−ＡＣＫ送信タイミングに基づいて送信するステップを含む。
【００２７】
ｅＮＢによってキャリアアグリゲーションを行うための方法も記載される。方法は、ＦＤＤおよびＴＤＤキャリアアグリゲーションのための各在圏セルの多重方式を確定するステップを含む。少なくとも１つの在圏セルはＴＤＤセルであり、少なくとも１つの在圏セルはＦＤＤセルである。方法は、在圏セルのためのＰＤＳＣＨ  ＨＡＲＱ−ＡＣＫ送信タイミングを確定するステップも含む。プライマリセルがＴＤＤセルであるとき、在圏セルのためのＰＤＳＣＨ  ＨＡＲＱ−ＡＣＫ送信タイミングは、在圏セルのためのＤＬアソシエーションセットに基づいて確定される。方法は、ＰＤＳＣＨ  ＨＡＲＱ−ＡＣＫ情報をＰＤＳＣＨ  ＨＡＲＱ−ＡＣＫ送信タイミングに基づいて受信するステップをさらに含む。
【００２８】
「３ＧＰＰ」とも呼ばれる、第３世代パートナーシップ・プロジェクト（Ｔｈｅ  ３ｒｄ  Ｇｅｎｅｒａｔｉｏｎ  Ｐａｒｔｎｅｒｓｈｉｐ  Ｐｒｏｊｅｃｔ）は、第３および第４世代ワイヤレス通信システムに関する世界的に適用可能な技術仕様および技術レポートを規定することを目指した連携合意である。３ＧＰＰは、次世代モバイルネットワーク、システム、およびデバイスに関する仕様を規定する。
【００２９】
３ＧＰＰロング・ターム・エボリューション（ＬＴＥ：Ｌｏｎｇ  Ｔｅｒｍ  Ｅｖｏｌｕｔｉｏｎ）は、将来の要求に対処すべくユニバーサル・モバイル通信システム（ＵＭＴＳ：Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ）モバイルフォンまたはデバイス規格を改善するためのプロジェクトに与えられた名称である。一態様において、ＵＭＴＳは、進化型ユニバーサル地上無線アクセス（Ｅ−ＵＴＲＡ：Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ）および進化型ユニバーサル地上無線アクセス・ネットワーク（Ｅ−ＵＴＲＡＮ：Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ）に対するサポートおよび仕様を提供するために修正された。
【００３０】
本明細書に開示されるシステムおよび方法の少なくともいくつかの態様は、３ＧＰＰ  ＬＴＥ、ＬＴＥアドバンスト（ＬＴＥ−Ａ：ＬＴＥ−Ａｄｖａｎｃｅｄ）および他の規格（例えば、３ＧＰＰリリース８、９、１０および／または１１）に関して記載される。しかしながら、本開示の範囲は、この点で限定されるべきではない。本明細書に開示されるシステムおよび方法の少なくともいくつかの態様は、他のタイプのワイヤレス通信システムにおいて利用されてもよい。
【００３１】
ワイヤレス通信デバイスは、音声および／またはデータを基地局へ通信するために用いられる電子デバイスであり、次には基地局がデバイスのネットワーク（例えば、公衆交換電話網（ＰＳＴＮ：ｐｕｂｌｉｃ  ｓｗｉｔｃｈｅｄ  ｔｅｌｅｐｈｏｎｅ  ｎｅｔｗｏｒｋ）、インターネットなど）と通信する。本明細書にシステムおよび方法を記載するときに、ワイヤレス通信デバイスは、代わりに移動局、ＵＥ、アクセス端末、加入者局、移動端末、遠隔局、ユーザ端末、端末、加入者ユニット、モバイルデバイスなどと呼ばれることもある。ワイヤレス通信デバイスの例は、セルラーフォン、スマートフォン、携帯情報端末（ＰＤＡ：ｐｅｒｓｏｎａｌ  ｄｉｇｉｔａｌ  ａｓｓｉｓｔａｎｔ）、ラップトップコンピュータ、ネットブック、電子書籍リーダ、ワイヤレス・モデムなどを含む。３ＧＰＰ仕様において、ワイヤレス通信デバイスは、典型的にＵＥと呼ばれる。しかしながら、本開示の範囲は、３ＧＰＰ規格に限定されるべきではないので、より一般的な用語「ワイヤレス通信デバイス」を意味するために、本明細書では用語「ＵＥ」および「ワイヤレス通信デバイス」が同義で用いられる。
【００３２】
３ＧＰＰ仕様において、基地局は、典型的にＮｏｄｅ  Ｂ、ｅＮＢ、ｈｏｍｅ  ｅｎｈａｎｃｅｄまたはｅｖｏｌｖｅｄ  Ｎｏｄｅ  Ｂ（ＨｅＮＢ）、あるいはいくつかの他の同様の用語で呼ばれる。本開示の範囲は、３ＧＰＰ規格に限定されるべきではないので、より一般的な用語「基地局」を意味するために、本明細書では用語「基地局」、「Ｎｏｄｅ  Ｂ」、「ｅＮＢ」、および「ＨｅＮＢ」が同義で用いられる。そのうえ、用語「基地局」は、アクセスポイントを示すために用いられてもよい。アクセスポイントは、ワイヤレス通信デバイスのためにネットワーク（例えば、ローカルエリアネットワーク（ＬＡＮ：Ｌｏｃａｌ  Ａｒｅａ  Ｎｅｔｗｏｒｋ）、インターネットなど）へのアクセスを提供する電子デバイスである。用語「通信デバイス」は、ワイヤレス通信デバイスおよび／または基地局の両方を示すために用いられる。
【００３３】
留意すべきは、本明細書では、「セル」は、インターナショナル・モバイル・テレコミュニケーションズ−アドバンスト（ＩＭＴ−Ａｄｖａｎｃｅｄ：Ｉｎｔｅｒｎａｔｉｏｎａｌ  Ｍｏｂｉｌｅ  Ｔｅｌｅｃｏｍｍｕｎｉｃａｔｉｏｎｓ−Ａｄｖａｎｃｅｄ）またはその拡張に用いるために、ＵＥとｅＮＢとの間の通信のためのプロトコルが、規格化によって仕様が定められるかまたは規制団体によって管理される通信チャネルの任意のセットを指し、そのすべてまたはそのサブセットが、３ＧＰＰによってｅＮＢとＵＥとの間の通信に用いることが認可されたバンド（例えば、周波数バンド）として採用されることである。「構成セル」は、ＵＥが認識しており、情報を送信または受信することがｅＮＢによって許可されたセルである。「構成セル（単数または複数）」は、在圏セル（単数または複数）であってもよい。ＵＥは、システム情報をすべての構成セル上で受信して、必要とされる測定を行う。「アクティブ化されたセル」は、ＵＥが送受信を行っている構成セルである。すなわち、アクティブ化されたセルは、ＵＥが物理下りリンク制御チャネル（ＰＤＣＣＨ：ｐｈｙｓｉｃａｌ  ｄｏｗｎｌｉｎｋ  ｃｏｎｔｒｏｌ  ｃｈａｎｎｅｌ）をモニタする対象となるセルであり、下りリンク送信の場合には、ＵＥが物理下りリンク共有チャネル（ＰＤＳＣＨ）を復号する対象となるセルである。「非アクティブ化されたセル」は、ＵＥが送信ＰＤＣＣＨをモニタしていない構成セルである。留意すべきは、「セル」が様々な次元の観点から記載されることである。例えば、「セル」は、時間、空間（例えば、地理的）および周波数特性を有しうる。
【００３４】
本明細書に開示されるシステムおよび方法は、キャリアアグリゲーションを記載する。いくつかの実装において、本明細書に開示されるシステムおよび方法は、ハイブリッド多重を用いたＬＴＥ拡張キャリアアグリゲーション（ｅＣＡ：ｅｎｈａｎｃｅｄ  ｃａｒｒｉｅｒ  ａｇｇｒｅｇａｔｉｏｎ）を記載する。特に、本システムおよび方法は、時分割多重（ＴＤＤ）および周波数分割多重（ＦＤＤ）キャリアアグリゲーション（ＣＡ：ｃａｒｒｉｅｒ  ａｇｇｒｅｇａｔｉｏｎ）に用いられる下りリンク（ＤＬ）アソシエーションセットおよびＰＤＳＣＨ  ＨＡＲＱ−ＡＣＫ送信タイミングを記載する。１つのケースでは、プライマリセル（ＰＣｅｌｌ）が上りリンク制御情報（ＵＣＩ：ｕｐｌｉｎｋ  ｃｏｎｔｒｏｌ  ｉｎｆｏｒｍａｔｉｏｎ）をレポートする。別のケースでは、ＵＣＩのためのレポーティング・セルとしてセカンダリセル（ＳＣｅｌｌ：ｓｅｃｏｎｄａｒｙ  ｃｅｌｌ）が構成される。
【００３５】
現在、２つのＬＴＥ多重システムＦＤＤおよびＴＤＤがある。しかしながら、現在のアプローチの下では、ＦＤＤおよびＴＤＤシステムがＣＡのために一緒に機能することはできない。例えば、既知のアプローチ（例えば、ＬＴＥリリース１０（以下「リリース１０」）およびＬＴＥリリース１１（以下「リリース１１」））の下で、キャリアアグリゲーション（ＣＡ：ｃａｒｒｉｅｒ  ａｇｇｒｅｇａｔｉｏｎ）は、複数のＦＤＤセル（例えば、ＦＤＤ在圏セル）、または複数のＴＤＤセル（例えば、ＴＤＤ在圏セル）のいずれかに許可されるが、両方のセル・タイプのハイブリッドには許可されない。
【００３６】
キャリアアグリゲーションは、１つより多いキャリアの同時利用を指す。キャリアアグリゲーションにおいては、１つのＵＥに１つより多いセルがアグリゲートされる。一例において、キャリアアグリゲーションは、ＵＥに利用可能な有効バンド幅を増加させるために用いられる。リリース１０におけるＴＤＤ  ＣＡ、およびリリース１１におけるバンド内ＣＡでは、同じＴＤＤ上り下りリンク（ＵＬ／ＤＬ）構成を用いる必要があった。リリース１１においては、異なるＴＤＤ  ＵＬ／ＤＬ構成を用いたバンド間ＴＤＤ  ＣＡがサポートされる。異なるＴＤＤ  ＵＬ／ＤＬ構成を用いたバンド間ＴＤＤ  ＣＡは、ＣＡ展開にフレキシブルなＴＤＤネットワークを提供する。そのうえ、トラフィックアダプテーションを伴う強化された干渉管理（ｅＩＭＴＡ：ｅｎｈａｎｃｅｄ  ｉｎｔｅｒｆｅｒｅｎｃｅ  ｍａｎａｇｅｍｅｎｔ  ｗｉｔｈ  ｔｒａｆｆｉｃ  ａｄａｐｔａｔｉｏｎ）（動的ＵＬ／ＤＬ再構成とも呼ばれる）がネットワーク・トラフィック負荷に基づくフレキシブルなＴＤＤ  ＵＬ／ＤＬ再構成を可能にする。しかしながら、現在のアプローチではいずれも、ハイブリッド多重ネットワーク（例えば、ＦＤＤおよびＴＤＤセルの両方をもつネットワーク）におけるＣＡはサポートされない。
【００３７】
本明細書に用いられる用語「同時の」およびその変形は、２つ以上のイベントが互いに時間が重なり合ってもよく、および／または互いに接近した時間に生じてもよいことを示すことに留意すべきである。加えて、「同時の」およびその変形は、２つ以上のイベントが正確に同時刻に生じることを意味してもしなくてもよい。
【００３８】
ＦＤＤセルは、スペクトルの切れ目なく連続したサブセットが、ＵＬまたはＤＬの両方ではなく、いずれかに専ら割り当てられたスペクトル（例えば、無線通信周波数またはチャネル）を必要とする。従って、ＦＤＤは、対をなすキャリア周波数（例えば、対をなすＵＬおよびＤＬキャリア周波数）を有する。しかしながら、ＴＤＤは、対をなすチャネルを必要としない。代わりに、ＴＤＤは、ＵＬおよびＤＬリソースを同じキャリア周波数上に割り当てることができる。それゆえに、ＴＤＤは、よりフレキシブルなスペクトルの使用法を提供する。ワイヤレスネットワーク・トラフィックの増加に伴い、かつスペクトル資源が非常に貴重になるにつれて、新たに割り当てられるスペクトルは、フラグメント化される傾向にあり、スペクトルがより狭いバンド幅を有し、ＴＤＤおよび／またはスモールセル展開にはより適している。そのうえ、ＴＤＤは、異なるＴＤＤ  ＵＬ／ＤＬ構成および動的ＤＬ／ＵＬ再構成によるトラフィックアダプテーションを通じてフレキシブルなチャネルの使用法を提供する。
【００３９】
本明細書に記載されるシステムおよび方法は、マクロセルおよびスモールセル（例えば、フェムトセル、ピコセル、マイクロセルなど）のヘテロジニアスネットワーク・シナリオを用いた、同じスケジューラ制御の下でのキャリアアグリゲーション（ＣＡ）を含む。ＬＴＥネットワーク展開のために、大部分のキャリアがＦＤＤ−ＬＴＥを選択する。しかしながら、多くのマーケットではＴＤＤ−ＬＴＥがますます重要になっている。ＴＤＤの実装は、迅速なトラフィックアダプテーションを伴うスモールセルにフレキシビリティを提供する。
【００４０】
ＴＤＤ  ＣＡおよびハイブリッド多重ネットワークでは、マクロセルおよびピコ／スモールセルが異なる周波数バンドを用いる。周波数バンドは、通信チャネルが確立されたスペクトルの小区分である。例えば、典型的なＣＡのケースでは、マクロセルが低い方の周波数バンドを用い、ピコ／スモールセルが高い方の周波数バンドを用いる。ハイブリッド多重ネットワークに関して、１つの可能な組み合わせは、マクロセル上にＦＤＤおよびピコ／スモールセル上にＴＤＤを有することである。
【００４１】
本明細書に開示されるシステムおよび方法は、ＴＤＤおよびＦＤＤキャリアアグリゲーションのシームレス動作を可能にするためのアソシエーション・タイミングを提供する。一例において、ＰＣｅｌｌがＦＤＤを用いて構成され、ＳＣｅｌｌがＴＤＤを用いて構成されてもよい。別の例では、ＰＣｅｌｌがＴＤＤを用いて構成され、ＳＣｅｌｌがＦＤＤを用いて構成されてもよい。
【００４２】
（例えば、ＰＤＳＣＨ  ＨＡＲＱ−ＡＣＫ情報を送信する）ＵＣＩレポーティングのためにＴＤＤ  ＰＣｅｌｌまたはレポーティング・セルが用いられるケースでは、アソシエーション・タイミングのために複数の実装が提供される。一実装においては、ＦＤＤ  ＤＬアソシエーションセット（例えば、ＦＤＤセルＤＬアソシエーションセットもしくはＦＤＤセルのためのＤＬアソシエーションセット）がレポーティングＴＤＤセルのＤＬ参照ＵＬ／ＤＬ構成における最近接ＵＬへマッピングされる。別の実装では、ＴＤＤ下りリンク・アソシエーションセットがＦＤＤセルのアソシエーション・ウインドウのサブセットであるように、ＰＵＣＣＨレポーティング・セルのＤＬ参照ＵＬ／ＤＬ構成に基づいて、ＦＤＤセルのためのアソシエーション領域またはアソシエーション・ウインドウが定義される。さらに別の実装では、ＦＤＤセルのサブフレームがＰＵＣＣＨレポーティング・セルのＵＬサブフレームとより均等に関連付けられるように、ＰＵＣＣＨレポーティング・セルのＤＬ参照ＵＬ／ＤＬ構成に基づいて、ＦＤＤセルのためのアソシエーション領域またはアソシエーション・ウインドウが定義される。
【００４３】
ＦＤＤおよびＴＤＤキャリアアグリゲーションにおいて、ＰＤＳＣＨ  ＨＡＲＱ−ＡＣＫをレポートするためにＴＤＤセルのＤＬ参照ＵＬ／ＤＬ構成が用いられる場合、ＤＬ参照ＵＬ／ＤＬ構成に基づいて、ＰＤＳＣＨ  ＨＡＲＱ−ＡＣＫ送信タイミングのために領域マッピングまたはアソシエーション・ウインドウがＦＤＤセル（単数または複数）上で適用される。ＰＣｅｌｌがＴＤＤセルである場合、ＦＤＤのＰＤＳＣＨ  ＨＡＲＱ−ＡＣＫ送信タイミングのためのＤＬアソシエーションセットを確定するためにＰＣｅｌｌのＤＬ参照ＵＬ／ＤＬ構成が用いられる。
【００４４】
ＰＤＳＣＨ  ＨＡＲＱ−ＡＣＫレポーティングのためのＰＵＣＣＨレポーティング・セル（参照セルと呼ばれる）としてＴＤＤセルが構成された場合、ＰＤＳＣＨ  ＨＡＲＱ−ＡＣＫ送信タイミングのためのＤＬアソシエーションセットを確定するためにＰＵＣＣＨレポーティング・セルのＤＬ参照ＵＬ／ＤＬ構成が用いられる。ＰＵＣＣＨレポーティング・セルのＤＬ参照ＵＬ／ＤＬ構成は、ＰＵＣＣＨレポーティング・セルのＴＤＤ  ＵＬ／ＤＬ構成であってもよい。ＰＵＣＣＨレポーティング・セルのＤＬ参照ＵＬ／ＤＬ構成は、プライマリセルおよびＰＵＣＣＨレポーティング・セルのＴＤＤ構成によって導出される。
【００４５】
ＦＤＤおよびＴＤＤセルのＰＤＳＣＨ  ＨＡＲＱ−ＡＣＫ情報は、アグリゲートされて１つの上りリンクサブフレーム上でレポートされる。ＦＤＤおよびＴＤＤキャリアアグリゲーションにおいて、ＰＤＳＣＨ  ＨＡＲＱ−ＡＣＫをレポートするためにＤＬ参照ＵＬ／ＤＬ構成が用いられる場合、ＦＤＤおよびＴＤＤセルのＰＤＳＣＨ  ＨＡＲＱ−ＡＣＫ情報は、各セルのＤＬアソシエーションセットおよび／または各セルのＤＬ参照ＵＬ／ＤＬ構成に基づいてアグリゲートされる。
【００４６】
本明細書に開示されるシステムおよび方法は、以下の利益を提供する。ＦＤＤおよびＴＤＤセルを含むハイブリッド多重ネットワークにおけるＣＡがシームレスに作動する。ＵＥによってＦＤＤおよびＴＤＤの両方が用いられたとき、リソースの使用がフレキシブルである。ＨＡＲＱ−ＡＣＫレポーティング方法がＴＤＤセルの動的ＵＬ／ＤＬ再構成をサポートする。ＴＤＤおよびＦＤＤ  ＣＡのシナリオでは、ＴＤＤセル・アソシエーション・タイミングがＦＤＤセルへ拡張される。加えて、物理（ＰＨＹ）レイヤ・シグナリング、暗黙的シグナリングおよび／または上位レイヤ・シグナリングによるＰＵＣＣＨレポーティング・セル（例えば、参照セル）構成がサポートされる。
【００４７】
次に、同様の参照番号が機能的に類似した要素を示す図面を参照して、本明細書に開示されるシステムおよび方法の様々な例が記載される。本明細書において図面に一般的に記載され、示されるシステムおよび方法は、多種多様に異なった実装に配置および設計できるであろう。従って、図面に表現されるいくつかの実装の以下のさらに詳細な記載は、特許請求の範囲を限定するものではなく、システムおよび方法を単に代表するに過ぎない。
【００４８】
図１は、キャリアアグリゲーションのためのシステムおよび方法が実装された１つ以上のｅＮＢ１６０および１つ以上のＵＥ１０２の一実装を示すブロック図である。１つ以上のＵＥ１０２は、１つ以上のアンテナ１２２ａ〜ｎを用いて１つ以上のｅＮＢ１６０と通信する。例えば、ＵＥ１０２は、１つ以上のアンテナ１２２ａ〜ｎを用いてｅＮＢ１６０へ電磁信号を送信し、かつｅＮＢ１６０から電磁信号を受信する。ｅＮＢ１６０は、１つ以上のアンテナ１８０ａ〜ｎを用いてＵＥ１０２と通信する。
【００４９】
ＵＥ１０２およびｅＮＢ１６０は、相互に通信するために１つ以上のチャネル１１９、１２１を用いる。例えば、ＵＥ１０２は、１つ以上の上りリンクチャネル１２１を用いてｅＮＢ１６０へ情報またはデータを送信する。上りリンクチャネル１２１の例は、ＰＵＣＣＨおよびＰＵＳＣＨなどを含む。１つ以上のｅＮＢ１６０も、例として、１つ以上の下りリンクチャネル１１９を用いて１つ以上のＵＥ１０２へ情報またはデータを送信する。下りリンクチャネル１１９の例は、ＰＤＣＣＨ、ＰＤＳＣＨなどを含む。他の種類のチャネルが用いられてもよい。
【００５０】
１つ以上のＵＥ１０２のそれぞれは、１つ以上のトランシーバ１１８、１つ以上の復調器１１４、１つ以上のデコーダ１０８、１つ以上のエンコーダ１５０、１つ以上の変調器１５４、データバッファ１０４およびＵＥオペレーション・モジュール１２４を含む。例えば、１つ以上の受信および／または送信経路がＵＥ１０２に実装される。便宜上、ＵＥ１０２では単一のトランシーバ１１８、デコーダ１０８、復調器１１４、エンコーダ１５０および変調器１５４のみが示されるが、複数の並列要素（例えば、トランシーバ１１８、デコーダ１０８、復調器１１４、エンコーダ１５０および変調器１５４）が実装されてもよい。
【００５１】
トランシーバ１１８は、１つ以上の受信機１２０および１つ以上の送信機１５８を含む。１つ以上の受信機１２０は、１つ以上のアンテナ１２２ａ〜ｎを用いてｅＮＢ１６０から信号を受信する。例えば、受信機１２０は、１つ以上の受信信号１１６を作り出すために信号を受信してダウンコンバートする。１つ以上の受信信号１１６は、復調器１１４へ供給される。１つ以上の送信機１５８は、１つ以上のアンテナ１２２ａ〜ｎを用いてｅＮＢ１６０へ信号を送信する。例えば、１つ以上の送信機１５８は、１つ以上の変調信号１５６をアップコンバートして送信する。
【００５２】
復調器１１４は、１つ以上の復調信号１１２を作り出すために１つ以上の受信信号１１６を復調する。１つ以上の復調信号１１２は、デコーダ１０８へ供給される。ＵＥ１０２は、信号を復号するためにデコーダ１０８を用いる。デコーダ１０８は、１つ以上の復号信号１０６、１１０を作り出す。例えば、第１のＵＥ復号信号１０６は、受信したペイロード・データを備え、このデータがデータバッファ１０４に記憶される。第２のＵＥ復号信号１１０は、オーバーヘッド・データおよび／または制御データを備える。例えば、第２のＵＥ復号信号１１０は、１つ以上のオペレーションを行うためにＵＥオペレーション・モジュール１２４によって用いられるデータを供給する。
【００５３】
本明細書では、用語「モジュール」は、特定の要素またはコンポーネントがハードウェア、ソフトウェアまたはハードウェアとソフトウェアとの組み合わせで実装されることを意味する。しかしながら、本明細書に「モジュール」として示される任意の要素は、代わりにハードウェアで実装されてもよいことに留意すべきである。例えば、ＵＥオペレーション・モジュール１２４は、ハードウェア、ソフトウェアまたは両方の組み合わせで実装されてもよい。
【００５４】
一般に、ＵＥオペレーション・モジュール１２４は、ＵＥ１０２が１つ以上のｅＮＢ１６０と通信することを可能にする。ＵＥオペレーション・モジュール１２４は、ＵＥ多重方式確定モジュール１２６、ＵＥ  ＰＤＳＣＨ  ＨＡＲＱ−ＡＣＫ送信タイミング・モジュール１２８およびＵＥ  ＰＤＳＣＨ  ＨＡＲＱ−ＡＣＫ情報モジュール１３０のうちの１つ以上を含む。
【００５５】
ＵＥ多重方式確定モジュール１２６は、ＦＤＤおよびＴＤＤキャリアアグリゲーションのための各在圏セルの多重方式を確定する。ＵＥ１０２は、キャリアアグリゲーションが１つ以上のＦＤＤセルおよび１つ以上のＴＤＤセルを用いて行われるワイヤレス通信ネットワーク中に位置する。一実装において、ワイヤレス通信ネットワークは、ＬＴＥネットワークである。
【００５６】
ＵＥ１０２は、ＦＤＤまたはＴＤＤ多重のいずれかを用い、在圏セルを通じてｅＮＢ１６０と通信する。ＵＥ多重方式確定モジュール１２６は、ＦＤＤおよびＴＤＤキャリアアグリゲーションに用いられる構成された在圏セルのそれぞれの多重方式を確定する。言い換えれば、ＵＥ多重方式確定モジュール１２６は、在圏セルがＦＤＤセルかまたはＴＤＤセルであるかどうかを確定する。
【００５７】
ＵＥ  ＰＤＳＣＨ  ＨＡＲＱ−ＡＣＫ送信タイミング・モジュール１２８は、在圏セルのためのＰＤＳＣＨ  ＨＡＲＱ−ＡＣＫ送信タイミングを確定する。ＴＤＤセルは、ＤＬアソシエーションセットおよびＰＤＳＣＨ  ＨＡＲＱ−ＡＣＫタイミングに関してＴＤＤセルのＤＬ参照ＵＬ／ＤＬ構成に従う。例えば、ＤＬアソシエーションセットは、ＤＬ参照ＵＬ／ＤＬ構成に基づいて確定される。ＤＬアソシエーションセットは、次に、在圏セルのＰＤＳＣＨ  ＨＡＲＱ−ＡＣＫタイミングを定義する。
【００５８】
しかしながら、ＦＤＤセルに関しては、ＦＤＤ  ＤＬアソシエーションセットがすべての７つのＴＤＤ  ＵＬ／ＤＬ構成に対して確定される。それゆえに、ＦＤＤおよびＴＤＤ  ＣＡが用いられ、ＴＤＤセルがＰＣｅｌｌまたはＰＤＳＣＨ  ＨＡＲＱ−ＡＣＫフィードバックのためのＰＵＣＣＨレポーティング・セルであるとき、１つ以上のＦＤＤ在圏セルは、ＰＣｅｌｌおよび／またはＰＵＣＣＨレポーティング・セルのＤＬ参照ＵＬ／ＤＬ構成に従って確定されたＦＤＤ  ＤＬアソシエーションセットを用いる。
【００５９】
１つのケースでは、ＰＵＣＣＨは、プライマリセル（ＰＣｅｌｌ）上でのみ送信される。このケースでは、ＰＣｅｌｌは、ＦＤＤセルまたはＴＤＤセルのいずれであってもよい。１つのシナリオでは、ＦＤＤセルがＰＣｅｌｌである。このシナリオでは、（ＦＤＤおよびＴＤＤセカンダリセル（ＳＣｅｌｌ）を含む）すべてのセルがＰＣｅｌｌのＦＤＤタイミングに従う。サブフレームｎ−４でのＰＤＳＣＨ送信は、サブフレームｎで確認される。すべてのセルのＰＤＳＣＨ  ＨＡＲＱ−ＡＣＫ情報は、アグリゲートされてＰＣｅｌｌのＰＵＣＣＨまたは最小Ｃｅｌｌ＿ＩＤをもつＰＵＳＣＨ上でレポートされる。
【００６０】
別のシナリオでは、ＴＤＤセルがＰＣｅｌｌである。このシナリオでは、すべての在圏セルのＰＤＳＣＨ  ＨＡＲＱ−ＡＣＫ情報は、アグリゲートされてＰＣｅｌｌのＰＵＣＣＨまたは最小Ｃｅｌｌ＿ＩＤをもつＰＵＳＣＨ上でレポートされる。アグリゲートされたセルのＤＬアソシエーションセットおよびＰＤＳＣＨ  ＨＡＲＱ−ＡＣＫ送信タイミングは、ＤＬ参照ＵＬ／ＤＬ構成に従う。一実装において、ＴＤＤ  ＰＣｅｌｌのＤＬ参照ＵＬ／ＤＬ構成は、ＰＣｅｌｌ  ＵＬ／ＤＬ構成（例えば、ＰＣｅｌｌのＴＤＤ  ＵＬ／ＤＬ構成）である。ＰＣｅｌｌのＤＬ参照ＵＬ／ＤＬ構成は、ＰＣｅｌｌのＤＬアソシエーションセットを確定するために用いられる。ＵＥ  ＰＤＳＣＨ  ＨＡＲＱ−ＡＣＫ送信タイミング・モジュール１２８は、ＴＤＤ  ＰＣｅｌｌのためのＰＤＳＣＨ  ＨＡＲＱ−ＡＣＫ送信タイミングをＴＤＤ  ＰＣｅｌｌのＤＬアソシエーションセットに基づいて確定する。
【００６１】
別の実装では、ＴＤＤ  ＳＣｅｌｌのＤＬ参照ＵＬ／ＤＬ構成は、図５に関連して以下に記載されるように、表（４）に従って、ＰＣｅｌｌ  ＵＬ／ＤＬ構成とＳＣｅｌｌ  ＵＬ／ＤＬ構成との組み合わせによって確定される。ＴＤＤ  ＳＣｅｌｌのＤＬ参照ＵＬ／ＤＬ構成は、ＴＤＤ  ＳＣｅｌｌのＤＬアソシエーションセットを確定するために用いられる。ＵＥ  ＰＤＳＣＨ  ＨＡＲＱ−ＡＣＫ送信タイミング・モジュール１２８は、ＴＤＤ  ＳＣｅｌｌのＰＤＳＣＨ  ＨＡＲＱ−ＡＣＫ送信タイミングをＴＤＤ  ＳＣｅｌｌのＤＬアソシエーションセットに基づいて確定する。
【００６２】
さらに別の実装では、ＦＤＤ  ＳＣｅｌｌのＤＬアソシエーションセットは、プライマリセルのＤＬ参照ＵＬ／ＤＬ構成に基づいて、ＵＥ  ＰＤＳＣＨ  ＨＡＲＱ−ＡＣＫ送信タイミング・モジュール１２８によって確定される。ＦＤＤ  ＳＣｅｌｌのためのＤＬアソシエーションセットは、図７Ａ〜７Ｂに関連して以下に記載されるように、表の入力としてプライマリセルのＤＬ参照ＵＬ／ＤＬ構成を用いた、ＦＤＤセルＤＬアソシエーションセットに関する表によって得られる。ＦＤＤセルのＤＬアソシエーションセットは、図８Ａ〜８Ｂに関連して以下に記載されるように、プライマリセルのＤＬ参照ＵＬ／ＤＬ構成のＴＤＤ  ＤＬアソシエーションセット（例えば、ＴＤＤセルＤＬアソシエーションセットまたはＴＤＤセルのＤＬアソシエーションセット）のスーパーセットとすることもできる。そのうえ、ＦＤＤセルのＤＬアソシエーションセットは、図９に関連して以下に記載されるように、サブフレームをＤＬアソシエーションセット中により均等に分配するために最適化される。
【００６３】
別のケースでは、ＰＵＣＣＨは、構成されたＰＵＣＣＨレポーティング・セル上で送信される。このケースでは、ＳＣｅｌｌ上のＰＵＣＣＨレポーティングが構成される。ＦＤＤセルまたはＴＤＤセルがＰＵＣＣＨレポーティング・セルとして構成される。
【００６４】
１つのシナリオでは、ＦＤＤセルがＰＵＣＣＨレポーティング・セルとして構成される。このシナリオでは、（ＦＤＤおよびＴＤＤセカンダリセル（ＳＣｅｌｌ）を含む）すべてのセルがＰＵＣＣＨレポーティング・セルのＦＤＤタイミングに従う。サブフレームｎ−４でのＰＤＳＣＨ送信は、サブフレームｎで確認される。
【００６５】
別のシナリオでは、ＴＤＤセルがＰＵＣＣＨレポーティング・セルとして構成される。このシナリオでは、すべての在圏セルのＰＤＳＣＨ  ＨＡＲＱ−ＡＣＫ情報は、アグリゲートされてＰＵＣＣＨレポーティング・セルのＰＵＣＣＨまたは最小Ｃｅｌｌ＿ＩＤをもつＰＵＳＣＨ上でレポートされる。アグリゲートされたセルのＤＬアソシエーションセットおよびＰＤＳＣＨ  ＨＡＲＱ−ＡＣＫ送信タイミングは、ＤＬ参照ＵＬ／ＤＬ構成に従う。一実装において、ＰＵＣＣＨレポーティング・セルのＤＬ参照ＵＬ／ＤＬ構成は、ＰＵＣＣＨレポーティング・セルのＴＤＤ  ＵＬ／ＤＬ構成である。ＰＵＣＣＨレポーティング・セルのＤＬ参照ＵＬ／ＤＬ構成は、ＰＵＣＣＨレポーティング・セルのＤＬアソシエーションセットを確定するために用いられる。ＵＥ  ＰＤＳＣＨ  ＨＡＲＱ−ＡＣＫ送信タイミング・モジュール１２８は、ＰＤＳＣＨ  ＨＡＲＱ−ＡＣＫ送信タイミングをＰＵＣＣＨレポーティング・セルのＤＬアソシエーションセットに基づいて確定する。
【００６６】
別の実装では、ＰＵＣＣＨレポーティング・セル以外のＴＤＤセル（例えば、ＴＤＤ  ＰＣｅｌｌまたはＳＣｅｌｌ）のＤＬ参照ＵＬ／ＤＬ構成は、ＰＣｅｌｌ  ＵＬ／ＤＬ構成としてＴＤＤ  ＰＵＣＣＨレポーティング・セルＵＬ／ＤＬ構成を用い、ＳＣｅｌｌ  ＵＬ／ＤＬ構成としてＴＤＤセルＵＬ／ＤＬ構成を用いることにより、図５に関連して以下に記載されるように、表（４）に従って、ＰＵＣＣＨレポーティング・セルＵＬ／ＤＬ構成とＴＤＤセルＵＬ／ＤＬ構成との組み合わせによって確定される。ＴＤＤセルのＤＬ参照ＵＬ／ＤＬ構成は、ＴＤＤセルのＤＬアソシエーションセットのために用いられる。ＵＥ  ＰＤＳＣＨ  ＨＡＲＱ−ＡＣＫ送信タイミング・モジュール１２８は、ＴＤＤセルのためのＰＤＳＣＨ  ＨＡＲＱ−ＡＣＫ送信タイミングをＴＤＤセルのＤＬアソシエーションセットに基づいて確定する。
【００６７】
さらに別の実装では、ＦＤＤ  ＳＣｅｌｌのＤＬアソシエーションセットは、ＰＵＣＣＨレポーティング・セルのＤＬ参照ＵＬ／ＤＬ構成に基づいて確定される。ＦＤＤ  ＳＣｅｌｌのためのＤＬアソシエーションセットは、図７Ａ〜７Ｂに関連して以下に記載されるように、表の入力としてＰＵＣＣＨレポーティング・セルのＤＬ参照ＵＬ／ＤＬ構成を用いた、ＦＤＤセルＤＬアソシエーションセットに関する表から得られる。ＦＤＤ  ＤＬアソシエーションセットは、図８Ａ〜８Ｂに関連して以下に記載されるように、ＰＵＣＣＨレポーティング・セルのＤＬ参照ＵＬ／ＤＬ構成のＴＤＤ  ＤＬアソシエーションセットのスーパーセットとすることもできる。そのうえ、ＤＬアソシエーションセットは、図９に関連して以下に記載されるように、サブフレームをＤＬアソシエーションセット中により均等に分配するために最適化される。
【００６８】
留意すべきは、すべてのケースにおいて、ＴＤＤセルがトラフィックアダプテーションを伴う動的ＵＬ／ＤＬ再構成を用いて構成される（例えば、ＴＤＤセルがｅＩＭＴＡセルである）場合には、ＣＡに用いられるＤＬ参照ＵＬ／ＤＬ構成がｅＩＭＴＡセルのＤＬ参照ＵＬ／ＤＬ構成に基づくことである。それゆえに、ＰＤＳＣＨ  ＨＡＲＱ−ＡＣＫ送信タイミングをＦＤＤおよびＴＤＤキャリアアグリゲーションのための在圏セルごとに確定するために、ＵＥ  ＰＤＳＣＨ  ＨＡＲＱ−ＡＣＫ送信タイミング・モジュール１２８によってｅＩＭＴＡセルのＤＬ参照ＵＬ／ＤＬ構成が用いられる。
【００６９】
ＵＥ  ＰＤＳＣＨ  ＨＡＲＱ−ＡＣＫ情報モジュール１３０は、ＰＤＳＣＨ  ＨＡＲＱ−ＡＣＫ情報をＰＤＳＣＨ  ＨＡＲＱ−ＡＣＫ送信タイミングに基づいて送信する。例えば、ＵＥ  ＰＤＳＣＨ  ＨＡＲＱ−ＡＣＫ情報モジュール１３０は、ＰＤＳＣＨ  ＨＡＲＱ−ＡＣＫ情報を在圏セルのＤＬアソシエーションセットに対応する送信上りリンクサブフレームで送信する。ＵＥ  ＰＤＳＣＨ  ＨＡＲＱ−ＡＣＫ情報モジュール１３０は、ＰＤＳＣＨ  ＨＡＲＱ−ＡＣＫ情報をＰＵＣＣＨまたはＰＵＳＣＨ上で送信する。
【００７０】
ＰＵＣＣＨがプライマリセル上でのみ送信されるケースでは、ＵＥ  ＰＤＳＣＨ  ＨＡＲＱ−ＡＣＫ情報モジュール１３０は、ＰＤＳＣＨ  ＨＡＲＱ−ＡＣＫ情報をプライマリセルのＰＵＣＣＨまたは最小Ｃｅｌｌ＿ＩＤをもつＰＵＳＣＨ上で送信する。一実装において、ＵＥ  ＰＤＳＣＨ  ＨＡＲＱ−ＡＣＫ情報モジュール１３０は、各在圏セルのＰＤＳＣＨ  ＨＡＲＱ−ＡＣＫ情報をアグリゲートしてＰＣｅｌｌのＰＵＣＣＨまたは最小Ｃｅｌｌ＿ＩＤをもつＰＵＳＣＨ上で送信する。
【００７１】
ＰＵＣＣＨが構成されたＰＵＣＣＨレポーティング・セル上で送信されるケースでは、ＵＥ  ＰＤＳＣＨ  ＨＡＲＱ−ＡＣＫ情報モジュール１３０は、ＰＤＳＣＨ  ＨＡＲＱ−ＡＣＫ情報をＰＵＣＣＨレポーティング・セルのＰＵＣＣＨまたは最小Ｃｅｌｌ＿ＩＤをもつＰＵＳＣＨ上で送信する。一実装において、ＵＥ  ＰＤＳＣＨ  ＨＡＲＱ−ＡＣＫ情報モジュール１３０は、各在圏セルのＰＤＳＣＨ  ＨＡＲＱ−ＡＣＫ情報をアグリゲートしてＰＵＣＣＨレポーティング・セルのＰＵＣＣＨまたは最小Ｃｅｌｌ＿ＩＤをもつＰＵＳＣＨ上で送信する。
【００７２】
ＵＥオペレーション・モジュール１２４は、情報１４８を１つ以上の受信機１２０に提供する。例えば、ＵＥオペレーション・モジュール１２４は、再送信をいつ受信すべきかを受信機（単数または複数）１２０に通知する。
【００７３】
ＵＥオペレーション・モジュール１２４は、情報１３８を復調器１１４に提供する。例えば、ＵＥオペレーション・モジュール１２４は、ｅＮＢ１６０からの送信に予想される変調パターンを復調器１１４に通知する。
【００７４】
ＵＥオペレーション・モジュール１２４は、情報１３６をデコーダ１０８に提供する。例えば、ＵＥオペレーション・モジュール１２４は、ｅＮＢ１６０からの送信に予想される符号化法をデコーダ１０８に通知する。
【００７５】
ＵＥオペレーション・モジュール１２４は、情報１４２をエンコーダ１５０に提供する。情報１４２は、符号化すべきデータおよび／または符号化のための命令を含む。例えば、ＵＥオペレーション・モジュール１２４は、送信データ１４６および／または他の情報１４２を符号化するようにエンコーダ１５０に命令する。他の情報１４２は、ＰＤＳＣＨ  ＨＡＲＱ−ＡＣＫ情報を含む。
【００７６】
エンコーダ１５０は、送信データ１４６および／またはＵＥオペレーション・モジュール１２４によって提供された他の情報１４２を符号化する。例えば、データ１４６および／または他の情報１４２の符号化は、誤り検出および／または訂正符号化、送信のための空間、時間および／または周波数リソースへのデータのマッピング、多重化などを伴う。エンコーダ１５０は、符号化データ１５２を変調器１５４へ供給する。
【００７７】
ＵＥオペレーション・モジュール１２４は、情報１４４を変調器１５４に提供する。例えば、ＵＥオペレーション・モジュール１２４は、ｅＮＢ１６０への送信に用いられることになる変調型（例えば、コンステレーション・マッピング）を変調器１５４に通知する。変調器１５４は、１つ以上の変調信号１５６を１つ以上の送信機１５８へ供給するために符号化データ１５２を変調する。
【００７８】
ＵＥオペレーション・モジュール１２４は、情報１４０を１つ以上の送信機１５８に提供する。この情報１４０は、１つ以上の送信機１５８に対する命令を含む。例えば、ＵＥオペレーション・モジュール１２４は、信号をｅＮＢ１６０へいつ送信すべきかを１つ以上の送信機１５８に命令する。いくつかの実装において、これは、ＵＥ  ＰＤＳＣＨ  ＨＡＲＱ−ＡＣＫ送信タイミング・モジュール１２８によって確定されたＰＤＳＣＨ  ＨＡＲＱ−ＡＣＫ送信タイミングに基づく。例として、１つ以上の送信機１５８は、ＵＬサブフレームの間に送信する。１つ以上の送信機１５８は、変調信号（単数または複数）１５６を１つ以上のｅＮＢ１６０へアップコンバートして送信する。
【００７９】
ｅＮＢ１６０は、１つ以上のトランシーバ１７６、１つ以上の復調器１７２、１つ以上のデコーダ１６６、１つ以上のエンコーダ１０９、１つ以上の変調器１１３、データバッファ１６２およびｅＮＢオペレーション・モジュール１８２を含む。例えば、１つ以上の受信および／または送信経路がｅＮＢ１６０に実装される。便宜上、ｅＮＢ１６０では単一のトランシーバ１７６、デコーダ１６６、復調器１７２、エンコーダ１０９および変調器１１３のみが示されるが、複数の並列要素（例えば、トランシーバ１７６、デコーダ１６６、復調器１７２、エンコーダ１０９および変調器１１３）が実装されてもよい。
【００８０】
トランシーバ１７６は、１つ以上の受信機１７８および１つ以上の送信機１１７を含む。１つ以上の受信機１７８は、１つ以上のアンテナ１８０ａ〜ｎを用いてＵＥ１０２から信号を受信する。例えば、受信機１７８は、１つ以上の受信信号１７４を作り出すために信号を受信してダウンコンバートする。１つ以上の受信信号１７４は、復調器１７２へ供給される。１つ以上の送信機１１７は、１つ以上のアンテナ１８０ａ〜ｎを用いてＵＥ１０２へ信号を送信する。例えば、１つ以上の送信機１１７は、１つ以上の変調信号１１５をアップコンバートして送信する。
【００８１】
復調器１７２は、１つ以上の復調信号１７０を作り出すために１つ以上の受信信号１７４を復調する。１つ以上の復調信号１７０は、デコーダ１６６へ供給される。ｅＮＢ１６０は、信号を復号するためにデコーダ１６６を用いる。デコーダ１６６は、１つ以上の復号信号１６４、１６８を作り出す。例えば、第１のｅＮＢ復号信号１６４は、データバッファ１６２に記憶される、受信したペイロード・データを備える。第２のｅＮＢ復号信号１６８は、オーバーヘッド・データおよび／または制御データを備える。例えば、第２のｅＮＢ復号信号１６８は、１つ以上のオペレーションを行うためにｅＮＢオペレーション・モジュール１８２によって用いられるデータ（例えば、ＰＤＳＣＨ  ＨＡＲＱ−ＡＣＫ情報）を供給する。
【００８２】
一般に、ｅＮＢオペレーション・モジュール１８２は、ｅＮＢ１６０が１つ以上のＵＥ１０２と通信することを可能にする。ｅＮＢオペレーション・モジュール１８２は、ｅＮＢ多重方式確定モジュール１９４、ｅＮＢ  ＰＤＳＣＨ  ＨＡＲＱ−ＡＣＫ送信タイミング・モジュール１９６およびｅＮＢ  ＰＤＳＣＨ  ＨＡＲＱ−ＡＣＫ情報モジュール１９８のうちの１つ以上を含む。
【００８３】
ｅＮＢ多重方式確定モジュール１９４は、ＦＤＤおよびＴＤＤキャリアアグリゲーションのための各在圏セルの多重方式を確定する。ｅＮＢ１６０は、ＦＤＤまたはＴＤＤ多重のいずれかを用い、在圏セルを通じてＵＥ１０２と通信する。ｅＮＢ多重方式確定モジュール１９４は、ＦＤＤおよびＴＤＤキャリアアグリゲーションに用いられる構成された在圏セルのそれぞれの多重方式を確定する。言い換えれば、ｅＮＢ多重方式確定モジュール１９４は、在圏セルがＦＤＤセルかまたはＴＤＤセルであるかどうかを確定する。
【００８４】
ｅＮＢ  ＰＤＳＣＨ  ＨＡＲＱ−ＡＣＫ送信タイミング・モジュール１９６は、在圏セルのためのＰＤＳＣＨ  ＨＡＲＱ−ＡＣＫ送信タイミングを確定する。１つのケースでは、ＰＵＣＣＨは、プライマリセル（ＰＣｅｌｌ）上でのみ送信される。このケースでは、ＰＣｅｌｌは、ＦＤＤセルまたはＴＤＤセルのいずれであってもよい。
【００８５】
１つのシナリオでは、ＦＤＤセルがＰＣｅｌｌである。このシナリオでは、（ＦＤＤおよびＴＤＤセカンダリセル（ＳＣｅｌｌ）を含む）すべてのセルがＰＣｅｌｌのＦＤＤタイミングに従う。サブフレームｎ−４でのＰＤＳＣＨ送信は、サブフレームｎで確認される。すべてのセルのＰＤＳＣＨ  ＨＡＲＱ−ＡＣＫ情報は、アグリゲートされてＰＣｅｌｌのＰＵＣＣＨまたは最小Ｃｅｌｌ＿ＩＤをもつＰＵＳＣＨ上でレポートされる。
【００８６】
別のシナリオでは、ＴＤＤセルがＰＣｅｌｌである。このシナリオでは、すべての在圏セルのＰＤＳＣＨ  ＨＡＲＱ−ＡＣＫ情報は、アグリゲートされてＰＣｅｌｌのＰＵＣＣＨまたは最小Ｃｅｌｌ＿ＩＤをもつＰＵＳＣＨ上でレポートされる。アグリゲートされたセルのＤＬアソシエーションセットおよびＰＤＳＣＨ  ＨＡＲＱ−ＡＣＫ送信タイミングは、このセルのＤＬ参照ＵＬ／ＤＬ構成に従う。
【００８７】
一実装において、ＴＤＤ  ＰＣｅｌｌのＤＬ参照ＵＬ／ＤＬ構成は、ＰＣｅｌｌ  ＵＬ／ＤＬ構成である。ＤＬ参照ＵＬ／ＤＬ構成は、ＤＬアソシエーションセットを確定するために用いられる。ｅＮＢ  ＰＤＳＣＨ  ＨＡＲＱ−ＡＣＫ送信タイミング・モジュール１９６は、ＴＤＤ  ＰＣｅｌｌのためのＰＤＳＣＨ  ＨＡＲＱ−ＡＣＫ送信タイミングをＴＤＤ  ＰＣｅｌｌのＤＬアソシエーションセットに基づいて確定する。
【００８８】
別の実装では、ＴＤＤ  ＳＣｅｌｌのＤＬ参照ＵＬ／ＤＬ構成は、図５に関連して以下に記載されるように、表（４）に従って、ＰＣｅｌｌ  ＵＬ／ＤＬ構成とＳＣｅｌｌ  ＵＬ／ＤＬ構成との組み合わせによって確定される。ＴＤＤ  ＳＣｅｌｌのＤＬ参照ＵＬ／ＤＬ構成は、ＴＤＤ  ＳＣｅｌｌのＤＬアソシエーションセットを確定するために用いられる。ｅＮＢ  ＰＤＳＣＨ  ＨＡＲＱ−ＡＣＫ送信タイミング・モジュール１９６は、ＴＤＤ  ＳＣｅｌｌのＰＤＳＣＨ  ＨＡＲＱ−ＡＣＫ送信タイミングをＴＤＤ  ＳＣｅｌｌのＤＬアソシエーションセットに基づいて確定する。
【００８９】
さらに別の実装では、ＦＤＤ  ＳＣｅｌｌのＤＬアソシエーションセットは、プライマリセルのＤＬ参照ＵＬ／ＤＬ構成に基づいて、ｅＮＢ  ＰＤＳＣＨ  ＨＡＲＱ−ＡＣＫ送信タイミング・モジュール１９６によって確定される。ＦＤＤ  ＳＣｅｌｌのためのＤＬアソシエーションセットは、図７Ａ〜７Ｂに関連して以下に記載されるように、表の入力としてプライマリセルのＤＬ参照ＵＬ／ＤＬ構成を用いた、ＦＤＤセルＤＬアソシエーションセットに関する表によって得られる。ＦＤＤセルのＤＬアソシエーションセットは、図８Ａ〜８Ｂに関連して以下に記載されるように、プライマリセルのＤＬ参照ＵＬ／ＤＬ構成のＴＤＤ  ＤＬアソシエーションセットのスーパーセットとすることもできる。そのうえ、ＦＤＤセルのＤＬアソシエーションセットは、図９に関連して以下に記載されるように、サブフレームをＤＬアソシエーションセット中により均等に分配するために最適化される。
【００９０】
別のケースでは、ＰＵＣＣＨは、構成されたＰＵＣＣＨレポーティング・セル上で送信される。このケースでは、ＳＣｅｌｌ上のＰＵＣＣＨレポーティングが構成される。ＦＤＤセルまたはＴＤＤセルがＰＵＣＣＨレポーティング・セルとして構成される。
【００９１】
１つのシナリオでは、ＦＤＤセルがＰＵＣＣＨレポーティング・セルとして構成される。このシナリオでは、（ＦＤＤおよびＴＤＤセカンダリセル（ＳＣｅｌｌ）を含む）すべてのセルがＰＵＣＣＨレポーティング・セルのＦＤＤタイミングに従う。サブフレームｎ−４でのＰＤＳＣＨ送信は、サブフレームｎで確認される。
【００９２】
別のシナリオでは、ＴＤＤセルがＰＵＣＣＨレポーティング・セルとして構成される。このシナリオでは、すべての在圏セルのＰＤＳＣＨ  ＨＡＲＱ−ＡＣＫ情報は、アグリゲートされてＰＵＣＣＨレポーティング・セルのＰＵＣＣＨまたは最小Ｃｅｌｌ＿ＩＤをもつＰＵＳＣＨ上でレポートされる。
【００９３】
一実装において、ＰＵＣＣＨレポーティング・セルのＤＬ参照ＵＬ／ＤＬ構成は、ＰＵＣＣＨレポーティング・セルのＵＬ／ＤＬ構成である。ＰＵＣＣＨレポーティング・セルのＤＬ参照ＵＬ／ＤＬ構成は、ＰＵＣＣＨレポーティング・セルのＤＬアソシエーションセットを確定するために用いられる。ｅＮＢ  ＰＤＳＣＨ  ＨＡＲＱ−ＡＣＫ送信タイミング・モジュール１９６は、ＰＤＳＣＨ  ＨＡＲＱ−ＡＣＫ送信タイミングをＰＵＣＣＨレポーティング・セルのＤＬアソシエーションセットに基づいて確定する。
【００９４】
別の実装では、ＰＵＣＣＨレポーティング・セル以外のＴＤＤセル（例えば、ＴＤＤ  ＰＣｅｌｌまたはＳＣｅｌｌ）のＤＬ参照ＵＬ／ＤＬ構成は、ＰＣｅｌｌ  ＵＬ／ＤＬ構成としてＴＤＤ  ＰＵＣＣＨレポーティング・セルＵＬ／ＤＬ構成を用い、ＳＣｅｌｌ  ＵＬ／ＤＬ構成としてＴＤＤセルＵＬ／ＤＬ構成を用いることにより、図５に関連して以下に記載されるように、表（４）に従って、ＰＵＣＣＨレポーティング・セルＵＬ／ＤＬ構成とＴＤＤセルＵＬ／ＤＬ構成との組み合わせによって確定される。ＴＤＤセルのＤＬ参照ＵＬ／ＤＬ構成は、ＴＤＤセルのＤＬアソシエーションセットを確定するために用いられる。ｅＮＢ  ＰＤＳＣＨ  ＨＡＲＱ−ＡＣＫ送信タイミング・モジュール１９６は、ＴＤＤセルのためのＰＤＳＣＨ  ＨＡＲＱ−ＡＣＫ送信タイミングをＴＤＤセルのＤＬアソシエーションセットに基づいて確定する。
【００９５】
さらに別の実装では、ＦＤＤ  ＳＣｅｌｌのＤＬアソシエーションセットは、ＰＵＣＣＨレポーティング・セルのＤＬ参照ＵＬ／ＤＬ構成に基づいて確定される。ＦＤＤ  ＳＣｅｌｌのためのＤＬアソシエーションセットは、図７Ａ〜７Ｂに関連して以下に記載されるように、表の入力としてＰＵＣＣＨレポーティング・セルのＤＬ参照ＵＬ／ＤＬ構成を用いた、ＦＤＤセルＤＬアソシエーションセットに関する表から得られる。ＤＬアソシエーションセットは、図８Ａ〜８Ｂに関連して以下に記載されるように、ＰＵＣＣＨレポーティング・セルのＤＬ参照ＵＬ／ＤＬ構成のＴＤＤ  ＤＬアソシエーションセットのスーパーセットとすることもできる。そのうえ、ＤＬアソシエーションセットは、図９に関連して以下に記載されるように、サブフレームをＤＬアソシエーションセット中により均等に分配するために最適化される。
【００９６】
留意すべきは、すべてのケースにおいて、ＴＤＤセルがトラフィックアダプテーションを伴う動的ＵＬ／ＤＬ再構成を用いて構成される（例えば、ＴＤＤセルがｅＩＭＴＡセルである）場合には、ＣＡに用いられるＤＬ参照ＵＬ／ＤＬ構成がｅＩＭＴＡセルのＤＬ参照ＵＬ／ＤＬ構成に基づくことである。それゆえに、ＰＤＳＣＨ  ＨＡＲＱ−ＡＣＫ送信タイミングをＦＤＤおよびＴＤＤキャリアアグリゲーションのための在圏セルごとに確定するために、ｅＮＢ  ＰＤＳＣＨ  ＨＡＲＱ−ＡＣＫ送信タイミング・モジュール１９６によってｅＩＭＴＡセルのＤＬ参照ＵＬ／ＤＬ構成が用いられる。
【００９７】
ｅＮＢ  ＰＤＳＣＨ  ＨＡＲＱ−ＡＣＫ情報モジュール１９８は、ＰＤＳＣＨ  ＨＡＲＱ−ＡＣＫ情報をＰＤＳＣＨ  ＨＡＲＱ−ＡＣＫ送信タイミングに基づいて受信する。例えば、ｅＮＢ  ＰＤＳＣＨ  ＨＡＲＱ−ＡＣＫ情報モジュール１９８は、ＰＤＳＣＨ  ＨＡＲＱ−ＡＣＫ情報を在圏セルのＤＬアソシエーションセットに対応する送信上りリンクサブフレームで受信する。ｅＮＢ  ＰＤＳＣＨ  ＨＡＲＱ−ＡＣＫ情報モジュール１９８は、ＰＤＳＣＨ  ＨＡＲＱ−ＡＣＫ情報をＰＵＣＣＨまたはＰＵＳＣＨ上で受信する。
【００９８】
ＰＵＣＣＨがプライマリセル上でのみ送信される（例えば、ＰＵＣＣＨレポーティング・セルが構成されない）ケースでは、ｅＮＢ  ＰＤＳＣＨ  ＨＡＲＱ−ＡＣＫ情報モジュール１９８は、ＰＤＳＣＨ  ＨＡＲＱ−ＡＣＫ情報をプライマリセルのＰＵＣＣＨまたは最小Ｃｅｌｌ＿ＩＤをもつＰＵＳＣＨ上で受信する。一実装において、ｅＮＢ  ＰＤＳＣＨ  ＨＡＲＱ−ＡＣＫ情報モジュール１９８は、各在圏セルのアグリゲートされたＰＤＳＣＨ  ＨＡＲＱ−ＡＣＫ情報をＰＣｅｌｌのＰＵＣＣＨまたは最小Ｃｅｌｌ＿ＩＤをもつＰＵＳＣＨ上で受信する。
【００９９】
ＰＵＣＣＨが構成されたＰＵＣＣＨレポーティング・セル上で送信されるケースでは、ｅＮＢ  ＰＤＳＣＨ  ＨＡＲＱ−ＡＣＫ情報モジュール１９８は、ＰＤＳＣＨ  ＨＡＲＱ−ＡＣＫ情報をＰＵＣＣＨレポーティング・セルのＰＵＣＣＨまたは最小Ｃｅｌｌ＿ＩＤをもつＰＵＳＣＨ上で受信する。一実装において、ｅＮＢ  ＰＤＳＣＨ  ＨＡＲＱ−ＡＣＫ情報モジュール１９８は、各在圏セルのアグリゲートされたＰＤＳＣＨ  ＨＡＲＱ−ＡＣＫ情報をＰＵＣＣＨレポーティング・セルのＰＵＣＣＨまたは最小Ｃｅｌｌ＿ＩＤをもつＰＵＳＣＨ上で受信する。
【０１００】
ｅＮＢオペレーション・モジュール１８２は、情報１９０を１つ以上の受信機１７８に提供する。例えば、ｅＮＢオペレーション・モジュール１８２は、下りリンク・サブフレーム・アソシエーションのセットに基づいて、ＰＤＳＣＨ  ＨＡＲＱ−ＡＣＫ情報をいつ受信すべきか、あるいはいつすべきでないかを受信機（単数または複数）１７８に通知する。
【０１０１】
ｅＮＢオペレーション・モジュール１８２は、情報１８８を復調器１７２に提供する。例えば、ｅＮＢオペレーション・モジュール１８２は、ＵＥ（単数または複数）１０２からの送信に予想される変調パターンを復調器１７２に通知する。
【０１０２】
ｅＮＢオペレーション・モジュール１８２は、情報１８６をデコーダ１６６に提供する。例えば、ｅＮＢオペレーション・モジュール１８２は、ＵＥ（単数または複数）１０２からの送信に予想される符号化法をデコーダ１６６に通知する。
【０１０３】
ｅＮＢオペレーション・モジュール１８２は、情報１０１をエンコーダ１０９に提供する。情報１０１は、符号化すべきデータおよび／または符号化のための命令を含む。例えば、ｅＮＢオペレーション・モジュール１８２は、送信データ１０５および／または他の情報１０１を符号化するようにエンコーダ１０９に命令する。
【０１０４】
エンコーダ１０９は、送信データ１０５および／またはｅＮＢオペレーション・モジュール１８２によって提供された他の情報１０１を符号化する。例えば、データ１０５および／または他の情報１０１の符号化は、誤り検出および／または訂正符号化、送信のための空間、時間および／または周波数リソースへのデータのマッピング、多重化などを伴う。エンコーダ１０９は、符号化データ１１１を変調器１１３へ供給する。送信データ１０５は、ＵＥ１０２へ伝えられることになるネットワーク・データを含む。
【０１０５】
ｅＮＢオペレーション・モジュール１８２は、情報１０３を変調器１１３に提供する。この情報１０３は、変調器１１３に対する命令を含む。例えば、ｅＮＢオペレーション・モジュール１８２は、ＵＥ（単数または複数）１０２への送信に用いられることになる変調型（例えば、コンステレーション・マッピング）を変調器１１３に通知する。変調器１１３は、１つ以上の変調信号１１５を１つ以上の送信機１１７へ供給するために符号化データ１１１を変調する。
【０１０６】
ｅＮＢオペレーション・モジュール１８２は、情報１９２を１つ以上の送信機１１７に提供する。この情報１９２は、１つ以上の送信機１１７に対する命令を含む。例えば、ｅＮＢオペレーション・モジュール１８２は、信号をＵＥ（単数または複数）１０２へいつ送信すべきか（あるいはいつすべきでないか）を１つ以上の送信機１１７に命令する。いくつかの実装において、これは、ＤＬアソシエーションセットおよびＰＤＳＣＨ  ＨＡＲＱ−ＡＣＫ送信タイミングに基づく。１つ以上の送信機１１７は、１つ以上のＵＥ１０２へ変調信号（単数または複数）１１５をアップコンバートして送信する。
【０１０７】
留意すべきは、ＤＬサブフレームがｅＮＢ１６０から１つ以上のＵＥ１０２へ送信され、ＵＬサブフレームが１つ以上のＵＥ１０２からｅＮＢ１６０へ送信されることである。そのうえ、ｅＮＢ１６０も１つ以上のＵＥ１０２も、データを標準スペシャルサブフレームで送信できる。
【０１０８】
同様に留意すべきは、ｅＮＢ（単数または複数）１６０およびＵＥ（単数または複数）１０２に含まれる要素またはその部分の１つ以上がハードウェアで実装されてもよいことである。例えば、これらの要素またはその部分の１つ以上は、チップ、回路素子またはハードウェア・コンポーネントなどとして実装されてもよい。同様に留意すべきは、本明細書に記載される機能または方法の１つ以上がハードウェアで実装されてもよく、および／またはハードウェアを用いて行われてもよいことである。例えば、本明細書に記載される方法の１つ以上は、チップセット、特定用途向け集積回路（ＡＳＩＣ：ａｐｐｌｉｃａｔｉｏｎ−ｓｐｅｃｉｆｉｃ  ｉｎｔｅｇｒａｔｅｄ  ｃｉｒｃｕｉｔ）、大規模集積回路（ＬＳＩ：ｌａｒｇｅ−ｓｃａｌｅ  ｉｎｔｅｇｒａｔｅｄ  ｃｉｒｃｕｉｔ）または集積回路などで実装されてもよく、および／またはそれらを用いて実現されてもよい。
【０１０９】
図２は、ＵＥ１０２によってキャリアアグリゲーションを行うための方法２００の一実装を示すフロー図である。ＵＥ１０２は、ＦＤＤおよびＴＤＤキャリアアグリゲーションのための各在圏セルの多重方式を確定する（ステップ２０２）。ＵＥ１０２は、キャリアアグリゲーションが１つ以上のＦＤＤセルおよび１つ以上のＴＤＤセルを用いて行われるワイヤレス通信ネットワーク中に位置する。一実装において、ワイヤレス通信ネットワークは、ＬＴＥネットワークである。
【０１１０】
ＵＥ１０２は、ＦＤＤまたはＴＤＤ多重のいずれかを用い、在圏セルを通じてｅＮＢ１６０と通信する。在圏セルは、通信チャネル１１９、１２１のセットである。キャリアアグリゲーション（ＣＡ）の間に、ＵＥ１０２に１つより多い在圏セルがアグリゲートされる。ＵＥ１０２は、ＦＤＤおよびＴＤＤキャリアアグリゲーションに用いられる構成された在圏セルのそれぞれの多重方式を確定する（ステップ２０２）。言い換えれば、ＵＥ１０２は、在圏セルがＦＤＤセルまたはＴＤＤセルであるかどうかを確定する（ステップ２０２）。
【０１１１】
ＵＥ１０２は、在圏セルのためのＰＤＳＣＨ  ＨＡＲＱ−ＡＣＫ送信タイミングを確定する（ステップ２０４）。ＦＤＤおよびＴＤＤネットワークのためのＰＤＳＣＨ  ＨＡＲＱ−ＡＣＫレポーティングは、非常に異なる。ＦＤＤでは、サブフレームｎでのＰＤＳＣＨ送信に対するＨＡＲＱ−ＡＣＫは、サブフレームｎ＋４においてＰＵＣＣＨまたはＰＵＳＣＨ送信上でレポートされる。しかしながら、ＴＤＤでは、ＰＤＳＣＨ  ＨＡＲＱ−ＡＣＫは、ＵＬ割り当てをもつサブフレーム上でのみレポートされる。それゆえに、ＴＤＤでは、１つのＵＬサブフレームがＰＤＳＣＨ  ＨＡＲＱ−ＡＣＫレポーティングのために１つより多いＤＬサブフレームと関連付けられる。それに応じて、マルチセルＨＡＲＱ−ＡＣＫレポーティングがハイブリッド多重ネットワークにおけるＣＡのために指定される。
【０１１２】
ＴＤＤセルでは、下りリンク・アソシエーションセットおよびＰＤＳＣＨ  ＨＡＲＱ−ＡＣＫレポーティング・タイミングがすべてのＴＤＤ  ＵＬ／ＤＬ構成に対して良好に定義される。ＴＤＤセルは、下りリンク・アソシエーションセットおよびＰＤＳＣＨ  ＨＡＲＱ−ＡＣＫタイミングに関してセルのＤＬ参照ＵＬ／ＤＬ構成に従う。下りリンク・アソシエーションセットは、ＤＬ参照ＵＬ／ＤＬ構成に基づいて確定される。下りリンク・アソシエーションセットは、次にＰＤＳＣＨ  ＨＡＲＱ−ＡＣＫタイミングを定義する。
【０１１３】
しかしながら、ＦＤＤセルでは、ＤＬがすべてのサブフレームに存在しうるが、すべてのサブフレームをＤＬとしてレポートできる既存のＴＤＤ  ＵＬ／ＤＬ構成は存在しない。従って、ＦＤＤセルのために新しい下りリンク・アソシエーションセットが定義される。ＦＤＤ下りリンク・アソシエーションセットは、すべての７つのＴＤＤ  ＵＬ／ＤＬ構成に対して定義される。結果として、ＦＤＤおよびＴＤＤ  ＣＡが用いられて、ＴＤＤセルがＰＣｅｌｌまたはＰＤＳＣＨ  ＨＡＲＱ−ＡＣＫフィードバックのためのＰＵＣＣＨレポーティング・セルであるとき、１つ以上のＦＤＤ在圏セルは、ＰＣｅｌｌおよび／またはＰＵＣＣＨレポーティングＴＤＤセルのＤＬ参照ＵＬ／ＤＬ構成によって確定されたＦＤＤ  ＤＬアソシエーションセットを用いる。
【０１１４】
ＦＤＤセルのための下りリンク・アソシエーションセットは、非キャリアアグリゲーション動作に用いられてもよい。例えば、通常の（例えば、非キャリアアグリゲーション）ＦＤＤ  ＰＤＳＣＨ  ＨＡＲＱ−ＡＣＫ送信タイミング（例えば、サブフレームｎ−４でのＰＤＳＣＨ送信およびサブフレームｎでのＨＡＲＱ−ＡＣＫ送信）がＦＤＤセルのための下りリンク・アソシエーションセットによって置き換えられてもよい。それゆえに、ＵＥ１０２がＦＤＤセルのための下りリンク・アソシエーションセットまたは固定された４ミリ秒（ｍｓ）のＰＤＳＣＨ  ＨＡＲＱ−ＡＣＫタイミングを用いるかどうかが上位レイヤによって設定されてもよい。このアプローチは、ＰＵＣＣＨリソースのないサブフレームに備えることができる。
【０１１５】
１つのケースでは、ＰＵＣＣＨは、プライマリセル上でのみ送信される。このケースでは、プライマリセルは、ＦＤＤセルまたはＴＤＤセルのいずれであってもよい。ＦＤＤセルがプライマリセル（ＰＣｅｌｌ）である場合、（ＦＤＤおよびＴＤＤセカンダリセル（ＳＣｅｌｌ）を含む）すべてのセルがＰＣｅｌｌのＦＤＤタイミングに従う。（ＦＤＤセルがＰＣｅｌｌである）このシナリオでは、ＴＤＤセルは、（遅延が４ｍｓに固定された）半二重ＦＤＤセルであると見做される。サブフレームｎ−４でのＰＤＳＣＨ送信は、サブフレームｎで確認される。すべてのセルのＰＤＳＣＨ  ＨＡＲＱ−ＡＣＫ情報は、アグリゲートされてＰＣｅｌｌのＰＵＣＣＨまたは最小Ｃｅｌｌ＿ＩＤをもつＰＵＳＣＨ上でレポートされる。それゆえに、在圏セルがＦＤＤセルであり、在圏セルがプライマリセルであるか、または在圏セルがセカンダリセルであり、プライマリセルがＦＤＤセルである場合、ＵＥ１０２は、ＵＥ１０２に向けた、前のサブフレーム（例えば、ｎ−４）でのＰＤＳＣＨ送信の検出のときに、在圏セルのためのＰＤＳＣＨ  ＨＡＲＱ−ＡＣＫ送信タイミングを確定する（ステップ２０４）。ＰＤＳＣＨ  ＨＡＲＱ−ＡＣＫ情報は、後のサブフレーム（例えば、ｎ）で送信される。
【０１１６】
別のシナリオでは、ＴＤＤセルがＰＣｅｌｌである。このシナリオでは、すべての在圏セルのＰＤＳＣＨ  ＨＡＲＱ−ＡＣＫ情報は、アグリゲートされてＰＣｅｌｌのＰＵＣＣＨまたは最小Ｃｅｌｌ＿ＩＤをもつＰＵＳＣＨ上でレポートされる。アグリゲートされたセルのＤＬアソシエーションセットおよびＰＤＳＣＨ  ＨＡＲＱ−ＡＣＫ送信タイミングは、このセルのＤＬ参照ＵＬ／ＤＬ構成に従う。
【０１１７】
一実装において、ＴＤＤ  ＰＣｅｌｌのＤＬ参照ＵＬ／ＤＬ構成は、ＰＣｅｌｌ  ＵＬ／ＤＬ構成である。ＴＤＤ  ＰＣｅｌｌのＤＬ参照ＵＬ／ＤＬ構成は、ＴＤＤ  ＰＣｅｌｌのＤＬアソシエーションセットを確定するために用いられる。ＵＥ１０２は、ＴＤＤ  ＰＣｅｌｌのＰＤＳＣＨ  ＨＡＲＱ−ＡＣＫ送信タイミングをＴＤＤ  ＰＣｅｌｌのＤＬアソシエーションセットに基づいて確定する（ステップ２０４）。
【０１１８】
別の実装では、ＴＤＤ  ＳＣｅｌｌのＤＬ参照ＵＬ／ＤＬ構成は、図５に関連して以下に記載されるように、表（４）に従って、ＰＣｅｌｌ  ＵＬ／ＤＬ構成とＳＣｅｌｌ  ＵＬ／ＤＬ構成との組み合わせによって確定される。ＴＤＤ  ＳＣｅｌｌのＤＬ参照ＵＬ／ＤＬ構成は、ＴＤＤ  ＳＣｅｌｌのＤＬアソシエーションセットを確定するために用いられる。ＵＥ１０２は、ＴＤＤ  ＳＣｅｌｌのＰＤＳＣＨ  ＨＡＲＱ−ＡＣＫ送信タイミングをＴＤＤ  ＳＣｅｌｌのＤＬアソシエーションセットに基づいて確定する（ステップ２０４）。それゆえに、プライマリセルがＴＤＤセルであり、在圏セルがＴＤＤセルであり、在圏セルがセカンダリセルであるとき、在圏セルのためのＤＬアソシエーションセットは、在圏セルのＤＬ参照ＵＬ／ＤＬ構成に基づいて確定される。在圏セルのＤＬ参照ＵＬ／ＤＬ構成は、プライマリセルのＴＤＤ  ＵＬ／ＤＬ構成および在圏セルのＴＤＤ  ＵＬ／ＤＬ構成に基づいて確定される。
【０１１９】
さらに別の実装では、ＦＤＤ  ＳＣｅｌｌのＤＬアソシエーションセットは、プライマリセルのＤＬ参照ＵＬ／ＤＬ構成に基づいて確定される。ＦＤＤ  ＳＣｅｌｌのＤＬアソシエーションセットは、図７Ａ〜７Ｂに関連して以下に記載されるように、表の入力としてプライマリセルのＤＬ参照ＵＬ／ＤＬ構成を用いた、ＦＤＤセルＤＬアソシエーションセットに関する表によって得られる。ＦＤＤ  ＳＣｅｌｌのＤＬアソシエーションセットは、図８Ａ〜８Ｂに関連して以下に記載されるように、プライマリセルのＤＬ参照ＵＬ／ＤＬ構成のＴＤＤ  ＤＬアソシエーションセットのスーパーセットとすることもできる。そのうえ、ＦＤＤ  ＳＣｅｌｌのＤＬアソシエーションセットは、図９に関連して以下に記載されるように、サブフレームをＤＬアソシエーションセット中により均等に分配するために最適化される。
【０１２０】
別のケースでは、ＰＵＣＣＨは、構成されたＰＵＣＣＨレポーティング・セル上で送信される。このケースでは、ＳＣｅｌｌ上のＰＵＣＣＨレポーティングが構成される。ＦＤＤセルまたはＴＤＤセルがＰＵＣＣＨレポーティング・セルとして構成される。スモールセルのシナリオでは、ＵＥ１０２は、より強いＤＬ信号をマクロセルｅＮＢ１６０から受信するが、スモールセルへの上りリンクの方がマクロセルｅＮＢ１６０へのリンクよりはるかに良好なことがある。マクロセルｅＮＢ１６０がスモールセルを上りリンクＰＵＣＣＨレポーティング・セルとして構成してもよい。例えば、ＰＣｅｌｌがＦＤＤセルであり、スモールセルがＴＤＤセルであるが、スモールセルへの上りリンクの方がＰＣｅｌｌへの上りリンクよりはるかに良好である場合、ＴＤＤ  ＳＣｅｌｌがＰＤＳＣＨ  ＨＡＲＱ−ＡＣＫレポーティングのためのＰＵＣＣＨを運ぶように構成されてもよい。ＰＵＣＣＨレポーティング・セルは、参照セルまたはレポーティング・セルとも呼ばれる。
【０１２１】
ＦＤＤセルがＰＵＣＣＨレポーティング・セルとして構成される場合、（ＦＤＤならびにＴＤＤプライマリおよびセカンダリセルを含む）すべてのセルがＰＵＣＣＨレポーティング・セルのＦＤＤタイミングに従う。（ＦＤＤセルがＰＵＣＣＨレポーティング・セルである）このシナリオでは、ＴＤＤセルは、（遅延が４ｍｓに固定された）半二重ＦＤＤセルであると見做される。サブフレームｎ−４でのＰＤＳＣＨ送信は、サブフレームｎで確認される。すべてのセルのＰＤＳＣＨ  ＨＡＲＱ−ＡＣＫ情報は、アグリゲートされてＰＵＣＣＨレポーティング・セルのＰＵＣＣＨまたは最小Ｃｅｌｌ＿ＩＤをもつＰＵＳＣＨ上でレポートされる。それゆえに、在圏セルがＦＤＤセルであり、在圏セルがＰＵＣＣＨレポーティング・セルであるか、または在圏セルがセカンダリセルであり、ＰＵＣＣＨレポーティング・セルがＦＤＤセルである場合、ＵＥ１０２は、ＵＥ１０２に向けた、前のサブフレーム（例えば、ｎ−４）でのＰＤＳＣＨ送信の検出のときに、在圏セルのためのＰＤＳＣＨ  ＨＡＲＱ−ＡＣＫ送信タイミングを確定する（ステップ２０４）。ＰＤＳＣＨ  ＨＡＲＱ−ＡＣＫ情報は、後のサブフレーム（例えば、ｎ）で送信される。
【０１２２】
別のシナリオでは、ＴＤＤセルがＰＵＣＣＨレポーティング・セルとして構成される。このシナリオでは、すべての在圏セルのＰＤＳＣＨ  ＨＡＲＱ−ＡＣＫ情報は、アグリゲートされてＰＵＣＣＨレポーティング・セルのＰＵＣＣＨまたは最小Ｃｅｌｌ＿ＩＤをもつＰＵＳＣＨ上でレポートされる。アグリゲートされたセルのＤＬアソシエーションセットおよびＰＤＳＣＨ  ＨＡＲＱ−ＡＣＫ送信タイミングは、このセルのＤＬ参照ＵＬ／ＤＬ構成に従う。
【０１２３】
一実装において、ＴＤＤ  ＰＵＣＣＨレポーティング・セルのＤＬ参照ＵＬ／ＤＬ構成は、ＰＵＣＣＨレポーティング・セルＵＬ／ＤＬ構成である。ＤＬ参照ＵＬ／ＤＬ構成は、ＰＵＣＣＨレポーティング・セルのＤＬアソシエーションセットを確定するために用いられる。ＵＥ１０２は、ＰＵＣＣＨレポーティング・セルのＰＤＳＣＨ  ＨＡＲＱ−ＡＣＫ送信タイミングをＰＵＣＣＨレポーティング・セルのＤＬアソシエーションセットに基づいて確定する（ステップ２０４）。
【０１２４】
別の実装では、ＰＵＣＣＨレポーティング・セル以外のＴＤＤセル（例えば、ＴＤＤ  ＰＣｅｌｌまたはＳＣｅｌｌ）のＤＬ参照ＵＬ／ＤＬ構成は、図５に関連して以下に記載されるように、表（４）に従って、ＰＵＣＣＨレポーティング・セルＵＬ／ＤＬ構成とＴＤＤセルＵＬ／ＤＬ構成との組み合わせによって確定される。例えば、ＴＤＤ  ＰＵＣＣＨレポーティング・セルＵＬ／ＤＬ構成は、表（４）のＰＣｅｌｌ  ＵＬ／ＤＬ構成に対応し、ＴＤＤセルＵＬ／ＤＬ構成は、表（４）のＳＣｅｌｌ  ＵＬ／ＤＬ構成に対応する。ＴＤＤセルのＤＬ参照ＵＬ／ＤＬ構成は、ＴＤＤセルのＤＬアソシエーションセットのために用いられる。
【０１２５】
ＵＥ１０２は、ＴＤＤセルのためのＰＤＳＣＨ  ＨＡＲＱ−ＡＣＫ送信タイミングをＴＤＤセルのＤＬアソシエーションセットに基づいて確定する（ステップ２０４）。それゆえに、ＰＵＣＣＨレポーティング・セルがＴＤＤセルであり、在圏セルがＴＤＤセルであり、在圏セルがセカンダリセルであるとき、在圏セルのためのＤＬアソシエーションセットは、在圏セルのＤＬ参照ＵＬ／ＤＬ構成に基づいて確定される。在圏セルのＤＬ参照ＵＬ／ＤＬ構成は、ＰＵＣＣＨレポーティング・セルのＴＤＤ  ＵＬ／ＤＬ構成および在圏セルのＴＤＤ  ＵＬ／ＤＬ構成に基づいて確定される。
【０１２６】
さらに別の構成では、ＦＤＤ  ＳＣｅｌｌのＤＬアソシエーションセットは、ＰＵＣＣＨレポーティング・セルのＤＬ参照ＵＬ／ＤＬ構成に基づいて確定される。ＦＤＤ  ＳＣｅｌｌのためのＤＬアソシエーションセットは、図７Ａ〜７Ｂに関連して以下に記載されるように、表の入力としてＰＵＣＣＨレポーティング・セルのＤＬ参照ＵＬ／ＤＬ構成を用いた、ＦＤＤセルＤＬアソシエーションセットに関する表によって得られる。ＤＬアソシエーションセットは、図８Ａ〜８Ｂに関連して以下に記載されるように、ＰＵＣＣＨレポーティング・セルのＤＬ参照ＵＬ／ＤＬ構成のＴＤＤ  ＤＬアソシエーションセットのスーパーセットとすることもできる。そのうえ、ＤＬアソシエーションセットは、図９に関連して以下に記載されるように、サブフレームをＤＬアソシエーションセット中により均等に分配するために最適化される。
【０１２７】
留意すべきは、すべてのケースにおいて、ＴＤＤセルがトラフィックアダプテーションを伴う動的ＵＬ／ＤＬ再構成を用いて構成される（例えば、ＴＤＤセルがｅＩＭＴＡセルである）場合には、ＣＡに用いられるＤＬ参照ＵＬ／ＤＬ構成がｅＩＭＴＡセルのＤＬ参照ＵＬ／ＤＬ構成に基づくことである。それゆえに、１つのケースでは、ｅＩＭＴＡ  ＴＤＤセルがＰＣｅｌｌとして構成される場合、ＰＤＳＣＨ  ＨＡＲＱ−ＡＣＫ送信タイミングをＦＤＤおよびＴＤＤキャリアアグリゲーションのための在圏セルごとに確定する（ステップ２０４）ために、ｅＩＭＴＡセルのＤＬ参照ＵＬ／ＤＬ構成が用いられる。別のケースでは、ｅＩＭＴＡ  ＴＤＤセルがＰＵＣＣＨレポーティング・セルとして構成される場合、ＰＤＳＣＨ  ＨＡＲＱ−ＡＣＫ送信タイミングをＦＤＤおよびＴＤＤキャリアアグリゲーションのための在圏セルごとに確定する（ステップ２０４）ために、ｅＩＭＴＡセルのＤＬ参照ＵＬ／ＤＬ構成が用いられる。
【０１２８】
ＵＥ１０２は、ＰＤＳＣＨ  ＨＡＲＱ−ＡＣＫ情報をＰＤＳＣＨ  ＨＡＲＱ−ＡＣＫ送信タイミングに基づいて送信する（ステップ２０６）。例えば、ＵＥ１０２は、ＰＤＳＣＨ  ＨＡＲＱ−ＡＣＫ情報を在圏セルのＤＬアソシエーションセットに対応する送信上りリンクサブフレームで送信する（ステップ２０６）。ＵＥ１０２は、ＰＤＳＣＨ  ＨＡＲＱ−ＡＣＫ情報をＰＵＣＣＨまたはＰＵＳＣＨ上で送信する（ステップ２０６）。
【０１２９】
ＰＵＣＣＨがプライマリセル上でのみ送信されるケースでは、ＵＥ１０２は、ＰＤＳＣＨ  ＨＡＲＱ−ＡＣＫ情報をプライマリセルのＰＵＣＣＨまたは最小Ｃｅｌｌ＿ＩＤをもつＰＵＳＣＨ上で送信する（ステップ２０６）。一実装において、ＵＥ１０２は、すべてのセルのＰＤＳＣＨ  ＨＡＲＱ−ＡＣＫをアグリゲートしてＰＣｅｌｌのＰＵＣＣＨまたは最小Ｃｅｌｌ＿ＩＤをもつＰＵＳＣＨ上で送信する（ステップ２０６）。
【０１３０】
ＰＵＣＣＨが構成されたＰＵＣＣＨレポーティング・セル上で送信されるケースでは、ＵＥ１０２は、ＰＤＳＣＨ  ＨＡＲＱ−ＡＣＫ情報をＰＵＣＣＨレポーティング・セルのＰＵＣＣＨまたは最小Ｃｅｌｌ＿ＩＤをもつＰＵＳＣＨ上で送信する（ステップ２０６）。一実装において、ＵＥ１０２は、すべてのセルのＰＤＳＣＨ  ＨＡＲＱ−ＡＣＫをアグリゲートしてＰＵＣＣＨレポーティング・セルのＰＵＣＣＨまたは最小Ｃｅｌｌ＿ＩＤをもつＰＵＳＣＨ上で送信する（ステップ２０６）。
【０１３１】
図３は、ｅＮＢ１６０によってキャリアアグリゲーションを行うための方法３００の一実装を示すフロー図である。ｅＮＢ１６０は、キャリアアグリゲーションが１つ以上のＦＤＤセルおよび１つ以上のＴＤＤセルを用いて行われるワイヤレス通信ネットワーク中に位置する。一実装において、ワイヤレス通信ネットワークは、ＬＴＥネットワークである。
【０１３２】
ｅＮＢ１６０は、ＦＤＤまたはＴＤＤ多重のいずれかを用い、在圏セルを通じてＵＥ１０２と通信する。ｅＮＢ１６０は、ＵＥ１０２のためのＦＤＤおよびＴＤＤキャリアアグリゲーションに用いられる構成された在圏セルのそれぞれの多重方式を確定する（ステップ３０２）。言い換えれば、ｅＮＢ１６０は、在圏セルがＦＤＤセルまたはＴＤＤセルであるかどうかを確定する（ステップ３０２）。キャリアアグリゲーションの一実装においては、ＵＥ１０２のためのすべての構成セルが同じｅＮＢ１６０によって制御され、スケジュールされることに留意すべきである。キャリアアグリゲーションの別の実装では、セルは、ｅＮＢ１６０から物理的に隔たったリモートラジオヘッド（ＲＲＨ：ｒｅｍｏｔｅ  ｒａｄｉｏ  ｈｅａｄ）であってもよいが、依然として同じｅＮＢ１６０スケジューラの下にある。在圏セルのセットは、ＵＥ１０２ごとに異なってもよい。それゆえに、ｅＮＢ１６０は、各ＵＥ１０２の各在圏セルがＦＤＤセルまたはＴＤＤセルであるかどうかを確定または識別する。一実装においては、各セルの多重方式が展開フェーズで確定され、固定されると想定してもよい。
【０１３３】
ｅＮＢ１６０は、在圏セルのためのＰＤＳＣＨ  ＨＡＲＱ−ＡＣＫ送信タイミングを確定する（ステップ３０４）。１つのケースでは、ＰＵＣＣＨは、プライマリセル（ＰＣｅｌｌ）上でのみ送信される。このケースでは、ＰＣｅｌｌは、ＦＤＤセルまたはＴＤＤセルのいずれであってもよい。１つのシナリオでは、ＦＤＤセルがＰＣｅｌｌである。このシナリオでは、（ＦＤＤおよびＴＤＤセカンダリセル（ＳＣｅｌｌ）を含む）すべてのセルがＰＣｅｌｌのＦＤＤタイミングに従う。サブフレームｎ−４でのＰＤＳＣＨ送信は、サブフレームｎで確認される。すべてのセルのＰＤＳＣＨ  ＨＡＲＱ−ＡＣＫ情報は、アグリゲートされてＰＣｅｌｌのＰＵＣＣＨまたは最小Ｃｅｌｌ＿ＩＤをもつＰＵＳＣＨ上でレポートされる。
【０１３４】
別のシナリオでは、ＴＤＤセルがＰＣｅｌｌである。このシナリオでは、すべての在圏セルのＰＤＳＣＨ  ＨＡＲＱ−ＡＣＫ情報は、アグリゲートされてＰＣｅｌｌのＰＵＣＣＨまたは最小Ｃｅｌｌ＿ＩＤをもつＰＵＳＣＨ上でレポートされる。アグリゲートされたセルのＤＬアソシエーションセットおよびＰＤＳＣＨ  ＨＡＲＱ−ＡＣＫ送信タイミングは、このセルのＤＬ参照ＵＬ／ＤＬ構成に従う。一実装において、ＴＤＤ  ＰＣｅｌｌのＤＬ参照ＵＬ／ＤＬ構成は、ＰＣｅｌｌ  ＵＬ／ＤＬ構成である。ＤＬ参照ＵＬ／ＤＬ構成は、ＴＤＤ  ＰＣｅｌｌのＤＬアソシエーションセットのために用いられる。ｅＮＢ１６０は、ＴＤＤ  ＰＣｅｌｌのＰＤＳＣＨ  ＨＡＲＱ−ＡＣＫ送信タイミングをＤＬアソシエーションセットに基づいて確定する（ステップ３０４）。
【０１３５】
別の実装では、ＴＤＤ  ＳＣｅｌｌのＤＬ参照ＵＬ／ＤＬ構成は、図５に関連して以下に記載されるように、表（４）に従って、ＰＣｅｌｌ  ＵＬ／ＤＬ構成とＳＣｅｌｌ  ＵＬ／ＤＬ構成との組み合わせによって確定される。ＴＤＤ  ＳＣｅｌｌのＤＬ参照ＵＬ／ＤＬ構成は、ＴＤＤ  ＳＣｅｌｌのＤＬアソシエーションセットのために用いられる。ｅＮＢ１６０は、ＴＤＤ  ＳＣｅｌｌのＰＤＳＣＨ  ＨＡＲＱ−ＡＣＫ送信タイミングをＤＬアソシエーションセットに基づいて確定する（ステップ３０４）。
【０１３６】
さらに別の実装では、ＦＤＤ  ＳＣｅｌｌのＤＬアソシエーションセットは、プライマリセルのＤＬ参照ＵＬ／ＤＬ構成に基づいて確定される。ＦＤＤ  ＳＣｅｌｌのためのＤＬアソシエーションセットは、図７Ａ〜７Ｂに関連して以下に記載されるように、表への入力としてプライマリセルのＤＬ参照ＵＬ／ＤＬ構成を用いた、ＦＤＤセルＤＬアソシエーションセットに関する表によって得られる。ＦＤＤ  ＳＣｅｌｌのセルＤＬアソシエーションセットは、図８Ａ〜８Ｂに関連して以下に記載されるように、プライマリセルのＤＬ参照ＵＬ／ＤＬ構成のＴＤＤ  ＤＬアソシエーションセットのスーパーセットとすることもできる。そのうえ、ＤＬアソシエーションセットは、図９に関連して以下に記載されるように、サブフレームをＤＬアソシエーションセット中により均等に分配するために最適化される。
【０１３７】
別のケースでは、ＰＵＣＣＨは、構成されたＰＵＣＣＨレポーティング・セル上で送信される。このケースでは、ＳＣｅｌｌ上のＰＵＣＣＨレポーティングが構成される。ＦＤＤセルまたはＴＤＤセルがＰＵＣＣＨレポーティング・セルとして構成される。
【０１３８】
１つのシナリオでは、ＦＤＤセルがＰＵＣＣＨレポーティング・セルとして構成される。このシナリオでは、（ＦＤＤならびにＴＤＤプライマリおよびセカンダリセルを含む）すべてのセルがＰＵＣＣＨレポーティング・セルのＦＤＤタイミングに従う。サブフレームｎ−４でのＰＤＳＣＨ送信は、サブフレームｎで確認される。
【０１３９】
別のシナリオでは、ＴＤＤセルがＰＵＣＣＨレポーティング・セルとして構成される。このシナリオでは、すべての在圏セルのＰＤＳＣＨ  ＨＡＲＱ−ＡＣＫ情報は、アグリゲートされてＰＵＣＣＨレポーティング・セルのＰＵＣＣＨまたは最小Ｃｅｌｌ＿ＩＤをもつＰＵＳＣＨ上でレポートされる。
【０１４０】
一実装において、ＴＤＤ  ＰＵＣＣＨレポーティング・セルのＤＬ参照ＵＬ／ＤＬ構成は、ＰＵＣＣＨレポーティング・セルＵＬ／ＤＬ構成である。ＰＵＣＣＨレポーティング・セルのＤＬ参照ＵＬ／ＤＬ構成は、ＰＵＣＣＨレポーティング・セルのＤＬアソシエーションセットのために用いられる。ｅＮＢ１６０は、ＰＵＣＣＨレポーティング・セルのＰＤＳＣＨ  ＨＡＲＱ−ＡＣＫ送信タイミングをＤＬアソシエーションセットに基づいて確定する（ステップ３０４）。
【０１４１】
別の実装では、ＰＵＣＣＨレポーティング・セル以外のＴＤＤセル（例えば、ＴＤＤプライマリセルまたはセカンダリセル）のＤＬ参照ＵＬ／ＤＬ構成は、図５に関連して以下に記載されるように、表（４）に従って、ＰＵＣＣＨレポーティング・セルＵＬ／ＤＬ構成とＴＤＤセルＵＬ／ＤＬ構成との組み合わせによって確定される。例えば、ＴＤＤ  ＰＵＣＣＨレポーティング・セルＵＬ／ＤＬ構成は、表（４）のＰＣｅｌｌ  ＵＬ／ＤＬ構成に対応し、ＴＤＤセルＵＬ／ＤＬ構成は、表（４）のＳＣｅｌｌ  ＵＬ／ＤＬ構成に対応する。ｅＮＢ１６０は、ＴＤＤ  ＳＣｅｌｌのためのＰＤＳＣＨ  ＨＡＲＱ−ＡＣＫ送信タイミングをＴＤＤ  ＳＣｅｌｌのＤＬアソシエーションセットに基づいて確定する（ステップ３０４）。
【０１４２】
さらに別の実装では、ＦＤＤ  ＳＣｅｌｌのＤＬアソシエーションセットは、ＰＵＣＣＨレポーティング・セルのＤＬ参照ＵＬ／ＤＬ構成に基づいて確定される。ＦＤＤ  ＳＣｅｌｌのためのＤＬアソシエーションセットは、図７Ａ〜７Ｂに関連して以下に記載されるように、表の入力としてＰＵＣＣＨレポーティング・セルのＤＬ参照ＵＬ／ＤＬ構成を用いた、ＦＤＤセルＤＬアソシエーションセットに関する表によって得られる。ＦＤＤ  ＤＬアソシエーションセットは、図８Ａ〜８Ｂに関連して以下に記載されるように、ＰＵＣＣＨレポーティング・セルのＤＬ参照ＵＬ／ＤＬ構成のＴＤＤ  ＤＬアソシエーションセットのスーパーセットとすることもできる。そのうえ、ＦＤＤ  ＤＬアソシエーションセットは、図９に関連して以下に記載されるように、サブフレームをＤＬアソシエーションセット中により均等に分配するために最適化される。
【０１４３】
留意すべきは、すべてのケースにおいて、ＴＤＤセルがトラフィックアダプテーションを伴う動的ＵＬ／ＤＬ再構成を用いて構成される（例えば、ＴＤＤセルがｅＩＭＴＡセルである）場合には、ＣＡに用いられるＤＬ参照ＵＬ／ＤＬ構成がｅＩＭＴＡセルのＤＬ参照ＵＬ／ＤＬ構成に基づくことである。それゆえに、１つのケースでは、ｅＩＭＴＡ  ＴＤＤセルがＰＣｅｌｌとして構成される場合、ＰＤＳＣＨ  ＨＡＲＱ−ＡＣＫ送信タイミングをＦＤＤおよびＴＤＤキャリアアグリゲーションのための在圏セルごとに確定する（ステップ２０４）ために、ｅＩＭＴＡセルのＤＬ参照ＵＬ／ＤＬ構成が用いられる。別のケースでは、ｅＩＭＴＡ  ＴＤＤセルがＰＵＣＣＨレポーティング・セルとして構成される場合、ＰＤＳＣＨ  ＨＡＲＱ−ＡＣＫ送信タイミングをＦＤＤおよびＴＤＤキャリアアグリゲーションのための在圏セルごとに確定する（ステップ３０４）ために、ｅＩＭＴＡセルのＤＬ参照ＵＬ／ＤＬ構成が用いられる。
【０１４４】
ｅＮＢ１６０は、ＰＤＳＣＨ  ＨＡＲＱ−ＡＣＫ情報をＰＤＳＣＨ  ＨＡＲＱ−ＡＣＫ送信タイミングに基づいて受信する（ステップ３０６）。例えば、ｅＮＢ１６０は、ＰＤＳＣＨ  ＨＡＲＱ−ＡＣＫ情報を在圏セルのＤＬアソシエーションセットに対応する送信上りリンクサブフレームで受信する（ステップ３０６）。ｅＮＢ１６０は、ＰＤＳＣＨ  ＨＡＲＱ−ＡＣＫ情報をＰＵＣＣＨまたはＰＵＳＣＨ上で受信する（ステップ３０６）。
【０１４５】
ＰＵＣＣＨがプライマリセル上でのみ送信されるケースでは、ｅＮＢ１６０は、ＰＤＳＣＨ  ＨＡＲＱ−ＡＣＫ情報をプライマリセルのＰＵＣＣＨまたは最小Ｃｅｌｌ＿ＩＤをもつＰＵＳＣＨ上で受信する（ステップ３０６）。一実装において、ｅＮＢ１６０は、各在圏セルのアグリゲートされたＰＤＳＣＨ  ＨＡＲＱ−ＡＣＫ情報をＰＣｅｌｌのＰＵＣＣＨまたは最小Ｃｅｌｌ＿ＩＤをもつＰＵＳＣＨ上で受信する（ステップ３０６）。
【０１４６】
ＰＵＣＣＨが構成されたＰＵＣＣＨレポーティング・セル上で送信されるケースでは、ｅＮＢ１６０は、ＰＤＳＣＨ  ＨＡＲＱ−ＡＣＫ情報をＰＵＣＣＨレポーティング・セルのＰＵＣＣＨまたは最小Ｃｅｌｌ＿ＩＤをもつＰＵＳＣＨ上で受信する（ステップ３０６）。一実装において、ｅＮＢ１６０は、各在圏セルのアグリゲートされたＰＤＳＣＨ  ＨＡＲＱ−ＡＣＫ情報をＰＵＣＣＨレポーティング・セルのＰＵＣＣＨまたは最小Ｃｅｌｌ＿ＩＤをもつＰＵＳＣＨ上で受信する（ステップ３０６）。
【０１４７】
図４は、本明細書に開示されるシステムおよび方法に従って用いられる無線フレーム４３５の一例を示す図である。この無線フレーム４３５構造は、ＴＤＤ構造を示す。各無線フレーム４３５は、
Ｔｆ＝３０７２００・Ｔｓ＝１０
ｍｓの長さを有し、ここで
Ｔｆ
は、無線フレーム４３５の持続期間であり、
Ｔｓ
は、
【数１】
0006343336.tif 000002
秒に等しい時間単位である。無線フレーム４３５は、
１５３６００・Ｔｓ＝５
ｍｓの長さをそれぞれが有する、２つのハーフフレーム４３３を含む。各ハーフフレーム４３３は、
３０７２０・Ｔｓ＝１
ｍｓの長さをそれぞれが有する５つのサブフレーム４２３ａ〜ｅ、４２３ｆ〜ｊを含む。
【０１４８】
（３ＧＰＰ  ＴＳ３６．２１１における表４．２−２からの）下の表（１）にＴＤＤ  ＵＬ／ＤＬ構成０〜６が示される。下りリンクから上りリンクへの切り替えポイント周期が５ミリ秒（ｍｓ）および１０ｍｓの両方のＵＬ／ＤＬ構成がサポートされる。特に、下の表（１）に示されるように、３ＧＰＰ仕様においては７つのＵＬ／ＤＬ構成が指定される。表（１）では、「Ｄ」は下りリンクサブフレームを示し、「Ｓ」はスペシャルサブフレームを示し、「Ｕ」はＵＬサブフレームを示す。
【表１】
0006343336.tif 000003
【０１４９】
上の表（１）では、無線フレームにおけるサブフレームごとに、「Ｄ」は、サブフレームが下りリンク送信のために予約されていることを示し、「Ｕ」は、サブフレームが上りリンク送信のために予約されていることを示し、「Ｓ」は、３つのフィールド、すなわち、下りリンク・パイロット時間スロット（ＤｗＰＴＳ：ｄｏｗｎｌｉｎｋ  ｐｉｌｏｔ  ｔｉｍｅ  ｓｌｏｔ）、ガード期間（ＧＰ：ｇｕａｒｄ  ｐｅｒｉｏｄ）および上りリンク・パイロット時間スロット（ＵｐＰＴＳ：ｕｐｌｉｎｋ  ｐｉｌｏｔ  ｔｉｍｅ  ｓｌｏｔ）をもつスペシャルサブフレームを示す。ＤｗＰＴＳおよびＵｐＰＴＳの長さは、ＤｗＰＴＳ、ＧＰおよびＵｐＰＴＳの全長が
３０７２０・Ｔｓ＝１
ｍｓに等しいことを前提として、（３ＧＰＰ  ＴＳ３６．２１１の表４．２−１からの）表（２）に示される。表（２）では、便宜上、「サイクリックプレフィックス」は「ＣＰ：ｃｙｃｌｉｃ  ｐｒｅｆｉｘ」と略記され、「構成」は「Ｃｏｎｆｉｇ：ｃｏｎｆｉｇｕｒａｔｉｏｎ」と略記される。
【表２】
0006343336.tif 000004
【０１５０】
下りリンクから上りリンクへの切り替えポイント周期が５ｍｓおよび１０ｍｓの両方のＵＬ／ＤＬ構成がサポートされる。下りリンクから上りリンクへの切り替えポイント周期が５ｍｓのケースでは、スペシャルサブフレームが両方のハーフフレームに存在する。下りリンクから上りリンクへの切り替えポイント周期が１０ｍｓのケースでは、スペシャルサブフレームが第１のハーフフレームのみに存在する。サブフレーム０および５ならびにＤｗＰＴＳは、下りリンク送信のために予約される。ＵｐＰＴＳおよびスペシャルサブフレームのすぐ後に続くサブフレームは、上りリンク送信のために予約される。
【０１５１】
本明細書に開示されるシステムおよび方法に従って、用いられるサブフレーム４２３のいくつかのタイプは、下りリンクサブフレーム、上りリンクサブフレームおよびスペシャルサブフレーム４３１を含む。図４に示される５ｍｓ周期を有する例では、無線フレーム４３５に２つの標準スペシャルサブフレーム４３１ａ〜ｂが含まれる。
【０１５２】
第１のスペシャルサブフレーム４３１ａは、下りリンク・パイロット時間スロット（ＤｗＰＴＳ）４２５ａ、ガード期間（ＧＰ）４２７ａおよび上りリンク・パイロット時間スロット（ＵｐＰＴＳ）４２９ａを含む。この例では、第１の標準スペシャルサブフレーム４３１ａがサブフレームｏｎｅ４２３ｂに含まれる。第２の標準スペシャルサブフレーム４３１ｂは、下りリンク・パイロット時間スロット（ＤｗＰＴＳ）４２５ｂ、ガード期間（ＧＰ）４２７ｂおよび上りリンク・パイロット時間スロット（ＵｐＰＴＳ）４２９ｂを含む。この例では、第２の標準スペシャルサブフレーム４３１ｂがサブフレームｓｉｘ４２３ｇに含まれる。ＤｗＰＴＳ４２５ａ〜ｂおよびＵｐＰＴＳ４２９ａ〜ｂの長さは、ＤｗＰＴＳ４２５、ＧＰ４２７およびＵｐＰＴＳ４２９の各セットの全長が
３０７２０・Ｔｓ＝１
ｍｓに等しいことを前提として、（上の表（２）に示される）３ＧＰＰ  ＴＳ３６．２１１の表４．２−１によって示される。
【０１５３】
各サブフレームｉ  ４２３ａ〜ｊ（この例では、ｉは、サブフレームｚｅｒｏ４２３ａ（例えば０）からサブフレームｎｉｎｅ４２３ｊ（例えば９）に及ぶサブフレームを示す）は、各サブフレーム４２３における長さが
Ｔｓｌｏｔ＝１５３６０・Ｔｓ＝０．５
ｍｓの２つのスロット、２ｉおよび２ｉ＋１として定義される。例えば、サブフレームｚｅｒｏ（例えば０）４２３ａは、第１のスロットを含めて、２つのスロットを含む。
【０１５４】
本明細書に開示されるシステムおよび方法に従って、下りリンクから上りリンクへの切り替えポイント周期が５ｍｓおよび１０ｍｓの両方のＵＬ／ＤＬ構成が用いられる。図４は、切り替えポイント周期が５ｍｓの無線フレーム４３５の一例を示す。下りリンクから上りリンクへの切り替えポイント周期が５ｍｓのケースでは、各ハーフフレーム４３３が標準スペシャルサブフレーム４３１ａ〜ｂを含む。下りリンクから上りリンクへの切り替えポイント周期が１０ｍｓのケースでは、スペシャルサブフレーム４３１が第１のハーフフレーム４３３のみに存在する。
【０１５５】
サブフレームｚｅｒｏ（例えば０）４２３ａおよびサブフレームｆｉｖｅ（例えば５）４２３ｆならびにＤｗＰＴＳ４２５ａ〜ｂは、下りリンク送信のために予約される。ＵｐＰＴＳ４２９ａ〜ｂおよびスペシャルサブフレーム（単数または複数）４３１ａ〜ｂのすぐ後に続くサブフレーム（単数または複数）（例えば、サブフレームｔｗｏ４２３ｃおよびサブフレームｓｅｖｅｎ４２３ｈ）は、上りリンク送信のために予約される。いくつかの実装においては、ＵＣＩ送信セルのＵＣＩ送信上りリンクサブフレームを示すＤＬサブフレーム・アソシエーションのセットを確定するために、スペシャルサブフレーム４３１がＤＬサブフレームと見做されてもよいことに留意すべきである。
【０１５６】
図５は、本明細書に記載されるシステムおよび方法によるいくつかのＴＤＤ  ＵＬ／ＤＬ構成５３７ａ〜ｇを示す図である。７つの異なるＴＤＤ  ＵＬ／ＤＬ構成があり、すべてが異なるアソシエーション・タイミングをもつ。特に、図５は、サブフレーム５２３ａおよびサブフレーム番号５３９ａをもつＵＬ／ＤＬ構成ｚｅｒｏ５３７ａ（例えば、「ＵＬ／ＤＬ構成０」）、サブフレーム５２３ｂおよびサブフレーム番号５３９ｂをもつＵＬ／ＤＬ構成ｏｎｅ５３７ｂ（例えば、「ＵＬ／ＤＬ構成１」）、サブフレーム５２３ｃおよびサブフレーム番号５３９ｃをもつＵＬ／ＤＬ構成ｔｗｏ５３７ｃ（例えば、「ＵＬ／ＤＬ構成２」）、ならびにサブフレーム５２３ｄおよびサブフレーム番号５３９ｄをもつＵＬ／ＤＬ構成ｔｈｒｅｅ５３７ｄ（例えば、「ＵＬ／ＤＬ構成３」）を示す。図５は、サブフレーム５２３ｅおよびサブフレーム番号５３９ｅをもつＵＬ／ＤＬ構成ｆｏｕｒ５３７ｅ（例えば、「ＵＬ／ＤＬ構成４」）、サブフレーム５２３ｆおよびサブフレーム番号５３９ｆをもつＵＬ／ＤＬ構成ｆｉｖｅ５３７ｆ（例えば、「ＵＬ／ＤＬ構成５」）、ならびにサブフレーム５２３ｇおよびサブフレーム番号５３９ｇをもつＵＬ／ＤＬ構成ｓｉｘ５３７ｇ（例えば、「ＵＬ／ＤＬ構成６」）も示す。
【０１５７】
図５は、ＰＤＳＣＨ  ＨＡＲＱ−ＡＣＫアソシエーション５４１（例えば、ＰＵＣＣＨまたはＰＵＳＣＨ上のＰＤＳＣＨ  ＨＡＲＱ−ＡＣＫフィードバック・アソシエーション）をさらに示す。ＰＤＳＣＨ  ＨＡＲＱ−ＡＣＫアソシエーション５４１は、ＰＤＳＣＨ送信のためのサブフレーム（例えば、ＰＤＳＣＨ送信が送信されるか、および／または受信されるサブフレーム）に対応するＨＡＲＱ−ＡＣＫレポーティング・サブフレームを示す。図５に示される無線フレームのいくつかが便宜上切り詰められていることに留意すべきである。
【０１５８】
本明細書に開示されるシステムおよび方法は、図５に示されるＵＬ／ＤＬ構成５３７ａ〜ｇのうちの１つ以上に適用されてもよい。例えば、図５に示されるＵＬ／ＤＬ構成５３７ａ〜ｇのうちの１つに対応する１つ以上のＰＤＳＣＨ  ＨＡＲＱ−ＡＣＫアソシエーション５４１がＵＥ１０２とｅＮＢ１６０との間の通信に適用されてもよい。例えば、ＵＬ／ＤＬ構成５３７がＰＣｅｌｌに確定されて（例えば、割り当てられて、適用されて）もよい。このケースでは、ＰＤＳＣＨ  ＨＡＲＱ−ＡＣＫアソシエーション５４１は、ＰＣｅｌｌに対応するＨＡＲＱ−ＡＣＫフィードバック送信のためのＰＤＳＣＨ  ＨＡＲＱ−ＡＣＫタイミング（例えば、ＨＡＲＱ−ＡＣＫレポーティング・サブフレーム）を指定する。ＳＣｅｌｌ  ＨＡＲＱ−ＡＣＫフィードバック送信に関しては、フィードバックパラメータに従ってＤＬ参照ＵＬ／ＤＬ構成に対応するＰＤＳＣＨ  ＨＡＲＱ−ＡＣＫアソシエーション５４１が利用される。
【０１５９】
ＰＤＳＣＨ  ＨＡＲＱ−ＡＣＫアソシエーション５４１は、ＰＤＳＣＨに対応するＨＡＲＱ−ＡＣＫ情報を受信するための特定の（ＰＤＳＣＨ  ＨＡＲＱ−ＡＣＫ）タイミングを指定する。ＰＤＳＣＨ  ＨＡＲＱ−ＡＣＫアソシエーション５４１は、ＰＤＳＣＨに対応するＨＡＲＱ−ＡＣＫ情報をＵＥ１０２がｅＮＢ１６０にレポートする（例えば、送信する）レポーティング・サブフレームを指定する。レポーティング・サブフレームは、ｅＮＢ１６０によって送信されたＰＤＳＣＨを含むサブフレームに基づいて確定される。
【０１６０】
すべてのＴＤＤ  ＵＬ／ＤＬ構成のための下りリンク・アソシエーションセットおよびＰＤＳＣＨ  ＨＡＲＱ−ＡＣＫ送信タイミングが図５に示される。（３ＧＰＰ  ＴＳ３６．２１３の表１０．１．３．１−１からの）表（３）は、ＴＤＤ  ＤＬアソシエーションセットを提供する。特に、表（３）は、ＴＤＤのためのＤＬアソシエーションセット・インデックスＫ：｛ｋ０，ｋ１，ｋＭ−１｝を提供する。
【表３】
0006343336.tif 000005
【０１６１】
異なるＵＬ／ＤＬ構成を用いたバンド間ＴＤＤ  ＣＡでは、１つのＴＤＤ  ＳＣｅｌｌのアソシエーション・タイミングは、ＤＬ参照ＵＬ／ＤＬ構成のタイミングに従う。ＤＬ参照ＵＬ／ＤＬ構成は、所定のＳＣｅｌｌのＴＤＤ  ＵＬ／ＤＬ構成と同じであっても異なってもよい。
【０１６２】
ＰＤＳＣＨスケジューリングは、対応するＰＤＣＣＨフォーマットによって行われる。リリース１１以降のＵＥでは、ＰＤＳＣＨをスケジュールするために拡張型ＰＤＣＣＨ（ｅＰＤＣＣＨ：ｅｎｈａｎｃｅｄ  ＰＤＣＣＨ）も用いられる。ＣＡセルのＰＤＳＣＨ  ＨＡＲＱ−ＡＣＫ情報は、１つの在圏セルのみのＰＵＣＣＨまたはＰＵＳＣＨ上でレポートされる。一実装において、ＰＵＣＣＨレポーティングは、ＰＣｅｌｌ上でのみ運ばれる。ＰＵＳＣＨレポーティングのために、ＰＤＳＣＨ  ＨＡＲＱ−ＡＣＫ情報が最小Ｃｅｌｌ＿ＩＤをもつセルのＰＵＳＣＨ上でレポートされてもよい。
【０１６３】
既知のソリューション（例えば、リリース１１）によれば、ＵＥ１０２は、１つより多いＴＤＤ在圏セルを用いて構成されてもよい。少なくとも２つの在圏セルが異なるＴＤＤ  ＵＬ／ＤＬ構成を有し、１つの在圏セルがプライマリセルである場合には、プライマリセルＵＬ／ＤＬ構成がその在圏セルのためのＤＬ参照ＵＬ／ＤＬ構成である。
【０１６４】
既知のソリューションによれば、少なくとも２つの在圏セルが異なるＴＤＤ  ＵＬ／ＤＬ構成を有し、１つの在圏セルがセカンダリセルであってもよい。プライマリセルＵＬ／ＤＬ構成によって対が形成され、在圏セルＵＬ／ＤＬ構成が（３ＧＰＰ  ＴＳ３６．２１３の表１０．２−１からの）表（４）中のセット１に属する場合には、その在圏セルのためのＤＬ参照ＵＬ／ＤＬ構成は、表（４）中の対応するセットで定義される。ＵＥ１０２が在圏セルをスケジュールするために別の在圏セルにおける物理下りリンク制御チャネル（ＰＤＣＣＨ）または拡張型物理下りリンク制御チャネル（ＥＰＤＣＣＨ）をモニタするように構成されておらず、プライマリセルＵＬ／ＤＬ構成によって対が形成され、在圏セルＵＬ／ＤＬ構成が表（４）中のセット２またはセット３に属する場合には、その在圏セルのためのＤＬ参照ＵＬ／ＤＬ構成は、表（４）中の対応するセットで定義される。ＵＥ１０２が在圏セルをスケジュールするために別の在圏セルにおけるＰＤＣＣＨ／ＥＰＤＣＣＨをモニタするように構成されており、プライマリセルＵＬ／ＤＬ構成によって対が形成され、在圏セルＵＬ／ＤＬ構成が表（４）中のセット４またはセット５に属する場合には、その在圏セルのためのＤＬ参照ＵＬ／ＤＬ構成は、表（４）中の対応するセットにおいて定義される。
【表４】
0006343336.tif 000006
【０１６５】
既知のソリューションによれば、ＵＥ１０２が１つより多い在圏セルを用いて構成され、少なくとも２つの在圏セルが異なるＵＬ／ＤＬ構成を有し、少なくとも１つの在圏セルのためのＤＬ参照ＵＬ／ＤＬ構成がＴＤＤ  ＵＬ／ＤＬ構成５である場合には、ＵＥ１０２が２つより多い在圏セルを用いて構成されることは予想しなくてもよい。ＵＥ１０２が１つの在圏セルを用いて構成されるか、またはＵＥ１０２が１つより多い在圏セルを用いて構成され、すべての在圏セルのＵＬ／ＤＬ構成が同じである場合には、ＵＥ１０２は、ＵＥ１０２に向けた、ＨＡＲＱ−ＡＣＫ応答が提供される対象となる、サブフレーム（単数または複数）ｎ−ｋ内でのＰＤＳＣＨ送信の検出のときに、ＰＤＳＣＨ  ＨＡＲＱ−ＡＣＫ応答をＵＬサブフレームｎで送信し、ここで
ｋ∈Ｋ
であり、Ｋは、表（３）で定義される。
【０１６６】
そのうえ、既知のソリューションによれば、ＵＥ１０２が１つより多い在圏セルを用いて構成され、少なくとも２つの在圏セルが異なるＵＬ／ＤＬ構成を有する場合には、ＵＥ１０２は、ＵＥ１０２に向けた、ＨＡＲＱ−ＡＣＫ応答が提供されるべき対象となる、在圏セルｃのためのサブフレーム（単数または複数）ｎ−ｋ内でのＰＤＳＣＨ送信の検出のときに、ＰＤＳＣＨ  ＨＡＲＱ−ＡＣＫ応答をＵＬサブフレームｎで送信し、ここで
ｋ∈Ｋｃ
である。セットＫｃは、サブフレームｎ−ｋが在圏セルｃのためのＤＬサブフレームまたはスペシャルサブフレームに対応するような
ｋ∈Ｋ
の値を含む。表（３）（表（３）中の「ＵＬ／ＤＬ構成」は、「ＤＬ参照ＵＬ／ＤＬ構成」を指す）で定義されたＫは、サブフレームｎと関連付けられる。
【０１６７】
一実装においては、ＨＡＲＱ−ＡＣＫ繰り返しが有効になっている。ＵＥ１０２に向けた、ＨＡＲＱ−ＡＣＫ応答が提供される対象となる、サブフレーム（単数または複数）ｎ−ｋ内でのＰＤＳＣＨ送信の検出のときに、ＵＥ１０２がサブフレームｎ−ｋより前のＤＬサブフレームでのＰＤＳＣＨ送信に対応するサブフレームｎでの任意のＨＡＲＱ−ＡＣＫの送信を何も繰り返していなければ、ＵＥ１０２は、（サブフレームｎ−ｋで検出されたＰＤＳＣＨ送信に対応する）ＨＡＲＱ−ＡＣＫ応答のみをＵＬサブフレームｎ、ならびに
【数２】
0006343336.tif 000007
として示される次の
【数３】
0006343336.tif 000008
個のＵＬサブフレームにおけるＰＵＣＣＨ上で送信し、ここで
ｋ∈Ｋ
であり、Ｋは、表（３）で定義される。ＵＥ１０２は、ＵＬサブフレーム
【数４】
0006343336.tif 000009
でその他の信号を何も送信しない。そのうえ、ＵＥ１０２は、サブフレームｎｉ−ｋで検出された任意のＰＤＳＣＨ送信に対応する任意のＨＡＲＱ−ＡＣＫ応答繰り返しを何も送信せず、ここで
ｋ∈Ｋｉ
であり、Ｋｉは、ＵＬサブフレームｎｉに対応する表（３）で定義されたセットであり、
【数５】
0006343336.tif 000010
である。
【０１６８】
ＴＤＤ  ＨＡＲＱ−ＡＣＫバンドリングに関しては、ＵＥ１０２が少なくとも１つの下りリンク割り当てが欠落したことを検出した場合、ＨＡＲＱ−ＡＣＫが所定のサブフレームに存在する唯一の上りリンク制御情報（ＵＣＩ）であれば、ＵＥ１０２は、ＨＡＲＱ−ＡＣＫ情報をＰＵＣＣＨ上で送信しなくてもよい。下りリンク・セミパーシステントスケジューリング（ＳＰＳ：ｓｅｍｉ−ｐｅｒｓｉｓｔｅｎｔ  ｓｃｈｅｄｕｌｉｎｇ）リリースを示す検出されたＰＤＣＣＨ／ＥＰＤＣＣＨに対応するＡＣＫのための上りリンク・タイミングは、検出されたＰＤＳＣＨに対応するＨＡＲＱ−ＡＣＫのための上りリンク・タイミングと同じであってもよい。
【０１６９】
図６は、ＦＤＤセルのアソシエーション・タイミングを示す。ＦＤＤセルは、対をなす下りリンクサブフレーム６４３および上りリンクサブフレーム６４５を含む。ＦＤＤセルのためのＰＤＳＣＨ  ＨＡＲＱ−ＡＣＫアソシエーション６４１が示される。ＰＤＳＣＨ  ＨＡＲＱ−ＡＣＫアソシエーション６４１は、ＰＤＳＣＨ送信のためのサブフレーム（例えば、ＰＤＳＣＨ送信が送られるか、および／または受信されるサブフレーム）に対応するＨＡＲＱ−ＡＣＫレポーティング・サブフレームを示す。いくつかの実装において、ＰＤＳＣＨ  ＨＡＲＱ−ＡＣＫレポーティングは、ＰＵＣＣＨまたはＰＵＳＣＨ上で生じる。
【０１７０】
ＰＤＳＣＨ  ＨＡＲＱ−ＡＣＫアソシエーション６４１に固定された４ｍｓの間隔が用いられてもよい。一実装において、下りリンクサブフレーム６４３および上りリンクサブフレーム６４５は、それぞれが１ｍｓである。それゆえに、サブフレームｍ＋４でのＰＤＳＣＨ  ＨＡＲＱ−ＡＣＫ送信は、サブフレームｍでのＰＤＳＣＨ送信と関連付けられる。同様に、サブフレームｎ−４でのＰＤＳＣＨ送信は、サブフレームｎでのＰＤＳＣＨ  ＨＡＲＱ−ＡＣＫ送信と関連付けられる。
【０１７１】
既知のソリューション（例えば、リリース１１）によれば、ＦＤＤに関しては、ＵＥ１０２は、ＵＥ１０２に向けた、ＨＡＲＱ−ＡＣＫが提供される対象となる、サブフレームｎ−４でのＰＤＳＣＨ送信の検出のときに、ＨＡＲＱ−ＡＣＫ応答をサブフレームｎで送信する。ＨＡＲＱ−ＡＣＫ繰り返しが有効になっている場合、ＵＥ１０２に向けた、ＨＡＲＱ−ＡＣＫが提供される対象となる、サブフレームｎ−４でのＰＤＳＣＨ送信の検出のときに、ＵＥ１０２がサブフレーム
【数６】
0006343336.tif 000011
でのＰＤＳＣＨ送信に対応するサブフレームｎでの任意のＨＡＲＱ−ＡＣＫの送信を何も繰り返していなければ、ＵＥ１０２は、（サブフレームｎ−４で検出されたＰＤＳＣＨ送信に対応する）ＨＡＲＱ−ＡＣＫ応答のみをサブフレーム
【数７】
0006343336.tif 000012
におけるＰＵＣＣＨ上で送信する。ＵＥ１０２は、サブフレーム
【数８】
0006343336.tif 000013
でその他の信号を何も送信しない。そのうえ、ＵＥ１０２は、サブフレーム
【数９】
0006343336.tif 000014
で検出された任意のＰＤＳＣＨ送信に対応する任意のＨＡＲＱ−ＡＣＫ応答繰り返しを何も送信しない。
【０１７２】
図７Ａ〜７Ｂは、ＦＤＤセルのための下りリンク・アソシエーションセット７４９の第１の実装を示す。１つの基本的な仮定として、ＵＬサブフレームと、関連付けられたＤＬサブフレームとの間の間隔は、４ｍｓ以上である。ＦＤＤセルのＤＬアソシエーションセット７４９は、連続的なサブフレームのセットからなる。各ＵＬサブフレームのＦＤＤ  ＤＬアソシエーションセット７４９の間には重なりおよび交差があってはならない。各ＦＤＤ  ＤＬアソシエーションセット７４９は、ＦＤＤでの下りリンク送信に対するフィードバックを提供するためのＰＤＳＣＨ  ＨＡＲＱ−ＡＣＫアソシエーション７４１を含む。
【０１７３】
図７Ａにおいて、ＦＤＤセル構成ｚｅｒｏ７４７ａは、ＵＬ／ＤＬ構成ｚｅｒｏ７３７ａに基づく。ＦＤＤセル構成ｏｎｅ７４７ｂは、ＵＬ／ＤＬ構成ｏｎｅ７３７ｂに基づく。ＦＤＤセル構成ｔｗｏ７４７ｃは、ＵＬ／ＤＬ構成ｔｗｏ７３７ｃに基づく。ＦＤＤセル構成ｔｈｒｅｅ７４７ｄは、ＵＬ／ＤＬ構成ｔｈｒｅｅ７３７ｄに基づく。
【０１７４】
図７Ｂにおいて、ＦＤＤセル構成ｆｏｕｒ７４７ｅは、ＵＬ／ＤＬ構成ｆｏｕｒ７３７ｅに基づく。ＦＤＤセル構成ｆｉｖｅ７４７ｆは、ＵＬ／ＤＬ構成ｆｉｖｅ７３７ｆに基づく。ＦＤＤセル構成ｓｉｘ７４７ｇは、ＵＬ／ＤＬ構成ｓｉｘ７３７ｇに基づく。
【０１７５】
ＦＤＤ  ＤＬアソシエーションセット７４９は、所定のＴＤＤ  ＵＬ／ＤＬ構成７３７に対して数学的に確定される。数学的な確定のための目標は、すべての１０個のＦＤＤ  ＤＬサブフレームをＵＬサブフレームに対するすべてのＦＤＤ  ＤＬアソシエーションセット７４９中へ、遅延を最小限に抑える一方でバランスのとれた方法でマッピングすることである。ＦＤＤセルのＤＬサブフレームをＴＤＤ  ＰＣｅｌｌまたはＴＤＤ  ＰＵＣＣＨレポーティング・セルにおけるＵＬサブフレームへマッピングするために、式（１）および（２）が用いられる。
【数１０】
0006343336.tif 000015
【０１７６】
式（１）において、ｋは、所定のＵＬ／ＤＬ構成のためのＵＬサブフレームであり、従って、ｋは、所定のＦＤＤセル構成７４７ａ〜ｇのためのＤＬアソシエーションセット７４９の数でもある。そのうえ、式（１）では、ｍｉは、ｉ番目のＦＤＤ  ＤＬアソシエーションセット７４９におけるＤＬサブフレームの数であり、ここでｉ＝０，１，．．．ｋ−１である。式（２）において、ｄｉｊは、ｉ番目のＦＤＤ  ＤＬアソシエーションセット７４９におけるｊ番目のＤＬサブフレームとｉ番目のＵＬサブフレームとの間の距離であり、ｉ＝０，１，．．．ｋ−１、ｊ＝０，１，．．．ｍｉ−１、ｄｉｊは、４以上（例えば、
ｄｉｊ≧４
）である。
【０１７７】
図７Ａ〜７Ｂに示される実装において、ＦＤＤセルのＤＬサブフレームは、常に、少なくとも４ｍｓ離れたＴＤＤ  ＰＣｅｌｌまたはＴＤＤ  ＰＵＣＣＨレポーティング・セルにおける最近接ＵＬサブフレームへマッピングされる。このように、上記の式（１）および（２）のみが（追加の最適化なしに）適用されてもよい。この実装の利益は、簡便さ、およびＤＬ送信とＵＬ  ＨＡＲＱ−ＡＣＫフィードバックとの間の最小距離である。しかしながら、この実装は、非常にアンバランスなＤＬアソシエーションセット・サイズを有し、大きいＨＡＲＱ−ＡＣＫペイロードを運ぶ上りリンクサブフレームにおいてＨＡＲＱ−ＡＣＫ性能劣化を生じかねない。そのうえ、ＦＤＤ  ＤＬアソシエーションセット７４９は、（ＵＬ／ＤＬ構成７３７ａ〜ｇのうちの１つに基づく）対応するＴＤＤ下りリンク・アソシエーションセットとは非常に異なる。
【０１７８】
第１の実装によるＦＤＤ  ＤＬアソシエーションセット７４９は、表（５）にまとめられ、図７Ａ〜７Ｂに示される。特に、表（５）は、ＴＤＤ  ＵＬ／ＤＬ構成に対するＦＤＤ  ＤＬアソシエーションセット・インデックスＫ：{ｋ０，ｋ１，．．．ｋＭ−１}を提供する。１つのケースでは、ＴＤＤ  ＵＬ／ＤＬ構成は、ＴＤＤ  ＰＣｅｌｌのＤＬ参照ＵＬ／ＤＬ構成を指す。別のケースでは、ＴＤＤ  ＵＬ／ＤＬ構成は、ＰＵＣＣＨレポーティングのための構成されたＴＤＤセルのＤＬ参照ＵＬ／ＤＬ構成を指す。
【表５】
0006343336.tif 000016
【０１７９】
図８Ａ〜８Ｂは、ＦＤＤセルのための下りリンク・アソシエーションセット８４９の第２の実装を示す。この実装では、ＦＤＤ下りリンク・アソシエーションセット８４９は、所定のＴＤＤ  ＵＬ／ＤＬ構成８３７の下りリンク・アソシエーションセットのスーパーセットである。本明細書では、ＦＤＤ  ＤＬアソシエーションセット８４９が対応するＴＤＤ  ＤＬアソシエーションセットのＤＬアソシエーションセットのスーパーセットであるとき、このことは、ＴＤＤ  ＵＬ／ＤＬ構成のＤＬアソシエーションセットにおけるすべてのサブフレームが所定のＴＤＤ  ＵＬ／ＤＬ構成に対応するＦＤＤ  ＤＬアソシエーションセット８４９に含まれることを意味する。逆に言えば、ＴＤＤ  ＤＬアソシエーションセットは、所定のＴＤＤ  ＵＬ／ＤＬ構成のＦＤＤ  ＤＬアソシエーションセット８４９のサブセットである。それゆえに、ＴＤＤ中にＤＬ割り当てをもつＦＤＤサブフレームに対しては同じタイミングを維持し、ＦＤＤ  ＤＬアソシエーションセット８４９を形成するために、追加のＦＤＤ  ＤＬサブフレームをＴＤＤ下りリンク・アソシエーションセットに加えることができる。ＴＤＤ  ＵＬ／ＤＬ構成８３７に対して、ＤＬサブフレームがＴＤＤセルのＵＬサブフレームへ均等に分配される。追加のＤＬサブフレームがＴＤＤ下りリンク・アソシエーションセットに加えられると、ＦＤＤ  ＤＬアソシエーションセット８４９は、図７Ａ〜７Ｂに関連して上述された第１の実装におけるものよりさらにバランスがとれる。
【０１８０】
図８Ａ〜８Ｂに示される第２の実装においては、式（１）および（２）が適用される。しかしながら、ＴＤＤ下りリンク・アソシエーションセットがＦＤＤ下りリンク・アソシエーションセットのサブセットであるという制約条件が式（１）および（２）に適用されてもよい。式（２）は、ＤＬ送信とＵＬフィードバックとの間の最小距離４ｍｓを提供し、すべての既存のＴＤＤ  ＤＬアソシエーションセットでこれが満たされる。ＴＤＤスーパーセットの制約条件は、式（３）および（４）において提供される。
【数１１】
0006343336.tif 000017
【０１８１】
式（３）において、ｍｍａｘは、すべてのｋ個のＦＤＤ  ＤＬアソシエーションセット８４９におけるＤＬサブフレームの最大数であり、ｍｍａｘ＝ｍａｘ（ｍｉ）である。そのうえ、式（３）では、ｍｍｉｎは、すべてのｋ個のＦＤＤ  ＤＬアソシエーションセット８４９におけるＤＬサブフレームの最小数であり、ｍｍｉｎ＝ｍｉｎ（ｍｉ）である。式（４）において、ｄｉｊは、ｉ番目のＦＤＤ  ＤＬアソシエーションセット８４９におけるｊ番目のＤＬサブフレームとｉ番目のＵＬサブフレームとの間の距離であり、ｉ＝０，１，．．．ｋ−１、ｊ＝０，１，．．．ｍｉ−１、ｄｉｊは、４以上である。ｋは、所定のＵＬ／ＤＬ構成のためのＵＬサブフレームであり、ｍｉは、ｉ番目のＦＤＤ  ＤＬアソシエーションセット、ｉ＝０，１，．．．ｋ−１におけるＤＬサブフレームの数である。
【０１８２】
第２の実装によるＦＤＤ  ＤＬアソシエーションセット８４９は、表（６）にまとめられる。下線を付したインデックスは、（表（３）にまとめられるような）ＴＤＤアソシエーションセットから含まれるものであり、一方で残りのインデックスは、ＦＤＤ  ＤＬアソシエーションセット８４９のために追加された。ＴＤＤ  ＵＬ／ＤＬ構成２および５に関しては、ＦＤＤ  ＤＬアソシエーションセット８４９が（図７Ａ〜７Ｂに関連して上述された）第１の実装におけるものと同じであることに留意すべきである。図８Ａ〜８Ｂには他のＴＤＤ  ＵＬ／ＤＬ構成のための第１の実装とは異なるＦＤＤ  ＤＬアソシエーションセット８４９が示される。表（６）は、ＴＤＤ  ＵＬ／ＤＬ構成に対するＦＤＤ  ＤＬアソシエーションセット・インデックスＫ：{ｋ０，ｋ１，．．．ｋＭ−１}を提供する。
【表６】
0006343336.tif 000018
【０１８３】
各ＦＤＤ  ＤＬアソシエーションセット８４９は、ＦＤＤでの下りリンク送信に対するフィードバックを提供するためのＰＤＳＣＨ  ＨＡＲＱ−ＡＣＫアソシエーション８４１を含む。図８Ａにおいて、ＦＤＤセル構成ｚｅｒｏ８４７ａは、ＵＬ／ＤＬ構成ｚｅｒｏ８３７ａに基づく。ＦＤＤセル構成ｏｎｅ８４７ｂは、ＵＬ／ＤＬ構成ｏｎｅ８３７ｂに基づく。ＦＤＤセル構成ｔｈｒｅｅ８４７ｄは、ＵＬ／ＤＬ構成ｔｈｒｅｅ８３７ｄに基づく。
【０１８４】
図８Ｂにおいて、ＦＤＤセル構成ｆｏｕｒ８４７ｅは、ＵＬ／ＤＬ構成ｆｏｕｒ８３７ｅに基づく。ＦＤＤセル構成ｓｉｘ８４７ｇは、ＵＬ／ＤＬ構成ｓｉｘ８３７ｇに基づく。
【０１８５】
ＴＤＤ下りリンク・アソシエーションセットのスーパーセットをもつ、ＴＤＤ  ＵＬ／ＤＬ構成０、１および６に対する代わりのＦＤＤ下りリンク・アソシエーションセット（図８Ａ〜８Ｂには示されない）が表（７）にまとめられる。表（７）におけるＴＤＤ  ＵＬ／ＤＬ構成０およびＴＤＤ  ＵＬ／ＤＬ構成１に対するＦＤＤ下りリンク・アソシエーションセットは、表（６）で提供されるのと同様のサブフレーム分布を提供するが、表（６）におけるものより大きい全距離を有する。ＴＤＤ  ＵＬ／ＤＬ構成６に対する代わりのＦＤＤ下りリンク・アソシエーションセットは、より不十分なサブフレーム分布を有するが、表（６）で提供されるものより小さい全距離を有する。下線を付したインデックスは、（表（３）にまとめられるような）ＴＤＤアソシエーションセットから含まれたものであり、残りのインデックスは、ＦＤＤ  ＤＬアソシエーションセットのために追加された。
【表７】
0006343336.tif 000019
【０１８６】
図９は、ＦＤＤセルのための下りリンク・アソシエーションセット９４９の第３の実装を示す。この実装では、ＦＤＤ下りリンク・アソシエーションセット９４９は、各ＦＤＤ下りリンク・アソシエーションセット９４９に含まれるＤＬサブフレームの数のバランスがとれている。ＴＤＤ  ＵＬ／ＤＬ構成９３７に対して、サブフレームがレポーティング・ＴＤＤセルのＵＬサブフレームに均等に分配される。（図８Ａ〜８Ｂに関連して記載された）第２の実装におけるＦＤＤ下りリンク・アソシエーションセット９４９は、複数のＴＤＤ  ＤＬサブフレームに対して同じサブフレーム・リンケージを維持することを規定し、ＦＤＤ下りリンク・アソシエーションセット・サイズは、（図７Ａ〜７Ｂに関連して記載された）第１の実装と比較してよりバランスがとれている。しかしながら、いくつかのＴＤＤ  ＵＬ／ＤＬ構成（例えば、ＴＤＤ  ＵＬ／ＤＬ構成３、４および６）に対しては、異なるＦＤＤ  ＤＬアソシエーションセットにおけるサブフレームの数が依然としてそれほどよくバランスがとられてはおらず、さらなる最適化が適用されるとよい。
【０１８７】
最適化式（３）の目標は、所定のＴＤＤ  ＵＬ／ＤＬ構成９３７のＦＤＤ  ＤＬアソシエーションセット９４９におけるサブフレームの最大数とサブフレームの最小数との間の差を最小化することである。それゆえに、所定のＴＤＤ  ＵＬ／ＤＬ構成９３７のＵＬサブフレームの数、ＦＤＤ  ＤＬアソシエーションセットの数としてｋを用いると、ｍｍａｘとｍｍｉｎとの間の最小差は、０または１のいずれかである。式（５）によれば、ｍｍａｘは、天井（１０／ｋ）関数によって与えられ、ｍｍｉｎは、床（１０／ｋ）関数によって与えられる。
【数１２】
0006343336.tif 000020
【０１８８】
ＦＤＤ  ＤＬアソシエーションセット９４９の最適化に関しては、式（５）が式（３）と同等である。そのうえ、ＤＬおよびＵＬサブフレーム間の全距離は、式（４）を用いて最小化されるべきである。このように、第３の実装は、式（１）、（２）、（３）、（４）によるすべての最適化基準を使用し、かつＴＤＤ下りリンク・アソシエーションセットがＦＤＤ下りリンク・アソシエーションセット９４９のサブセットであるという制約条件を取り除く。
【０１８９】
最適化基準に基づいて、第３の実装によるＦＤＤ  ＤＬアソシエーションセット９４９が表（８）にまとめられる。ＴＤＤ  ＵＬ／ＤＬ構成０、１、２および５に関しては、ＦＤＤ  ＤＬアソシエーションセット９４９が（表（６）にまとめられた）第２の実装と同じであることに留意すべきである。図９に示されるように、ＴＤＤ  ＵＬ／ＤＬ構成３、４、６のみがさらに最適化されている。表（８）は、ＴＤＤ  ＵＬ／ＤＬ構成に対するＦＤＤ  ＤＬアソシエーションセット・インデックスＫ：{ｋ０，ｋ１，．．．ｋＭ−１}を提供する。
【表８】
0006343336.tif 000021
【０１９０】
図９に示されるように、各ＦＤＤ  ＤＬアソシエーションセット９４９は、ＦＤＤにおける下りリンク送信に対するフィードバックを提供するためのＰＤＳＣＨ  ＨＡＲＱ−ＡＣＫアソシエーション９４１を含む。ＦＤＤセル構成ｔｈｒｅｅ９４７ｄは、ＵＬ／ＤＬ構成ｔｈｒｅｅ９３７ｄに基づく。ＦＤＤセル構成ｆｏｕｒ９４７ｅは、ＵＬ／ＤＬ構成ｆｏｕｒ９３７ｅに基づく。ＦＤＤセル構成ｓｉｘ９４７ｇは、ＵＬ／ＤＬ構成ｓｉｘ９３７ｇに基づく。
【０１９１】
ＴＤＤ  ＵＬ／ＤＬ構成３に対する代わりのＦＤＤ下りリンク／アソシエーションセットが表（９）にリストされる。これらの選択肢は、バランスのとれたサブフレーム分布を提供するが、表（８）におけるものより大きい全距離を有し、したがって式（４）によれば最適な結果ではない。
【表９】
0006343336.tif 000022
【０１９２】
図１０は、ＰＣｅｌｌ  １０５１ａ上のみのＰＵＣＣＨレポーティングを用いたキャリアアグリゲーションの様々なケース１０５３ａ〜ｆを示す。ＦＤＤおよびＴＤＤの異なる多重方式を用いたハイブリッド・キャリアアグリゲーションは、リリース１１では現在サポートされていない。しかしながら、本明細書に記載されるシステムおよび方法によれば、ＴＤＤおよびＦＤＤ  ＣＡの間にＴＤＤおよびＦＤＤセルの両方が参照セル構成に従うためのＤＬアソシエーションセットおよびＰＤＳＣＨ  ＨＡＲＱ−ＡＣＫ送信タイミングが定義されてもよい。図１０は、ＰＣｅｌｌ  １０５１ａ上のみ（太枠で示される）のＰＵＣＣＨレポーティングに関するキャリアアグリゲーションの例示のケース１０５３ａ〜ｆを示す。図１０では、２つのＳＣｅｌｌ  １０５１ｂ、ｃもキャリアアグリゲーションに含まれてもよい。
【０１９３】
第１のケース１０５３ａは、ＦＤＤのみのＣＡを示す。第２のケース１０５３ｂは、ＴＤＤのみのＣＡを示す。第３のケース１０５３ｃは、ＰＣｅｌｌ  １０５１ａがＦＤＤであり、ＳＣｅｌｌ  １０５１ｂ、ｃがＴＤＤであることを示す。第４のケース１０５３ｄは、ＰＣｅｌｌ  １０５１ａがＦＤＤであり、１つのＳＣｅｌｌ  １０５１ｂがＦＤＤであり、別のＳＣｅｌｌ  １０５１ｃがＴＤＤであることを示す。第５のケース１０５３ｅは、ＰＣｅｌｌ  １０５１ａがＴＤＤであり、ＳＣｅｌｌ  １０５１ｂ、ｃがＦＤＤであることを示す。第６のケース１０５３ｆは、ＰＣｅｌｌ  １０５１ａがＴＤＤであり、１つのＳＣｅｌｌ  １０５１ｂがＴＤＤであり、別のＳＣｅｌｌ  １０５１ｃがＦＤＤであることを示す。
【０１９４】
この図は、ＰＵＣＣＨレポーティングがＰＣｅｌｌ  １０５１ａ上のみである、図２に関連して上述されたケースに適用可能である。留意すべきは、上述のシステムおよび方法が３つの在圏セル１０５１には限定されないことである。例えば、記載されるシステムおよび方法に従って２つの在圏セル１０５１または３つより多い在圏セル１０５１があってもよい。
【０１９５】
図１１は、構成されたＰＵＣＣＨレポーティング・セル１１５１ｂを用いたＰＵＣＣＨレポーティングを伴うキャリアアグリゲーションの様々なケース１１５３ａ〜ｈを示す。ＰＵＣＣＨレポーティング・セル１１５１ｂは、ＳＣｅｌｌ  １１５１ｃであってもよい。ＰＵＣＣＨレポーティング・セル１１５１ｂは、上位レイヤ・シグナリング（例えば、無線リソース制御（ＲＲＣ：ｒａｄｉｏ  ｒｅｓｏｕｒｃｅ  ｃｏｎｔｒｏｌ）シグナリング）を用いてＰＣｅｌｌ  １１５１ａによって構成されてもよい。図１１において、ＰＵＣＣＨレポーティング・セル１１５１ｂは、太枠で示される。
【０１９６】
第１のケース１１５３ａは、ＦＤＤのみのＣＡを示す。第２のケース１１５３ｂは、ＴＤＤのみのＣＡを示す。第３のケース１１５３ｃは、ＰＵＣＣＨレポーティング・セル１１５１ｂがＦＤＤであり、ＰＣｅｌｌ  １１５１ａがＴＤＤであり、別のＳＣｅｌｌ  １１５１ｃがＴＤＤであることを示す。第４のケース１１５３ｄは、ＰＵＣＣＨレポーティング・セル１１５１ｂがＦＤＤであり、ＰＣｅｌｌ  １１５１ａがＦＤＤであり、別のＳＣｅｌｌ１１５１ｃがＴＤＤであることを示す。第５のケース１１５３ｅは、ＰＵＣＣＨレポーティング・セル１１５１ｂがＦＤＤであり、ＰＣｅｌｌ  １１５１ａがＴＤＤであり、別のＳＣｅｌｌ１１５１ｃがＦＤＤであることを示す。第６のケース１１５３ｆは、ＰＵＣＣＨレポーティング・セル１１５１ｂがＴＤＤであり、ＰＣｅｌｌ１１５１ａがＦＤＤであり、別のＳＣｅｌｌ１１５１ｃがＦＤＤであることを示す。第７のケース１１５３ｇは、ＰＵＣＣＨレポーティング・セル１１５１ｂがＴＤＤであり、ＰＣｅｌｌ１１５１ａがＦＤＤであり、別のＳＣｅｌｌ１１５１ｃがＴＤＤであることを示す。第８のケース１１５３ｈは、ＰＵＣＣＨレポーティング・セル１１５１ｂがＴＤＤであり、ＰＣｅｌｌ１１５１ａがＴＤＤであり、別のＳＣｅｌｌ１１５１ｃがＦＤＤであることを示す。
【０１９７】
この図は、ＰＵＣＣＨレポーティングが構成されたＰＵＣＣＨレポーティング・セル１１５１ｂによって提供される、図２と関連して前述されたケースに適用可能である。留意すべきは、上述のシステムおよび方法が３つの在圏セル１１５１には限定されないことである。例えば、記載されるシステムおよび方法に従って２つの在圏セル１１５１または３つより多い在圏セル１１５１があってもよい。
【０１９８】
図１２は、ＵＥ１２０２において利用される様々なコンポーネントを示す。図１２に関連して記載されるＵＥ１２０２は、図１に関連して記載されたＵＥ１０２に従って実装される。ＵＥ１２０２は、ＵＥ１２０２のオペレーションを制御するプロセッサ１２５５を含む。プロセッサ１２５５は、中央処理装置（ＣＰＵ：ｃｅｎｔｒａｌ  ｐｒｏｃｅｓｓｉｎｇ  ｕｎｉｔ）とも呼ばれる。メモリ１２６１は、リードオンリメモリ（ＲＯＭ：ｒｅａｄ−ｏｎｌｙ  ｍｅｍｏｒｙ）、ランダムアクセスメモリ（ＲＡＭ：ｒａｎｄｏｍ  ａｃｃｅｓｓ  ｍｅｍｏｒｙ）、これら２つの組み合わせ、あるいは情報を記憶する任意のタイプのデバイスを含み、プロセッサ１２５５に命令１２５７ａおよびデータ１２５９ａを与える。メモリ１２６１の一部分は、不揮発性ランダムアクセスメモリ（ＮＶＲＡＭ：ｎｏｎ−ｖｏｌａｔｉｌｅ  ｒａｎｄｏｍ  ａｃｃｅｓｓ  ｍｅｍｏｒｙ）も含んでよい。命令１２５７ｂおよびデータ１２５９ｂは、プロセッサ１２５５にも存在する。プロセッサ１２５５に読み込まれた命令１２５７ｂおよび／またはデータ１２５９ｂは、プロセッサ１２５５による実行または処理のために読み込まれた、メモリ１２６１からの命令１２５７ａおよび／またはデータ１２５９ａも含んでよい。命令１２５７ｂは、上述の方法２００の１つ以上を実装するためにプロセッサ１２５５によって実行される。
【０１９９】
ＵＥ１２０２は、データの送受信を可能にするための１つ以上の送信機１２５８および１つ以上の受信機１２２０が入った筺体も含む。送信機（単数または複数）１２５８および受信機（単数または複数）１２２０は、１つ以上のトランシーバ１２１８に組み合わされてもよい。１つ以上のアンテナ１２２２ａ〜ｎは、筺体に取り付けられて、トランシーバ１２１８に電気的に結合される。
【０２００】
ＵＥ１２０２の様々なコンポーネントは、データバスに加えて電力バス、制御信号バスおよびステータス信号バスを含む、バスシステム１２６３によって結合される。しかしながら、明確さのために、図１２では様々なバスがバスシステム１２６３として示される。ＵＥ１２０２は、信号処理用のデジタル信号プロセッサ（ＤＳＰ：ｄｉｇｉｔａｌ  ｓｉｇｎａｌ  ｐｒｏｃｅｓｓｏｒ）１２６５も含んでよい。ＵＥ１２０２は、ＵＥ１２０２の機能へのユーザ・アクセスを提供する通信インターフェース１２６７も含んでよい。図１２に示されるＵＥ１２０２は、具体的なコンポーネントのリスティングではなく機能ブロック図である。
【０２０１】
図１３は、ｅＮＢ１３６０において利用される様々なコンポーネントを示す。図１３に関連して記載されるｅＮＢ１３６０は、図１に関連して記載されたｅＮＢ１６０に従って実装される。ｅＮＢ１３６０は、ｅＮＢ１３６０のオペレーションを制御するプロセッサ１３５５を含む。プロセッサ１３５５は、中央処理装置（ＣＰＵ）とも呼ばれる。メモリ１３６１は、リードオンリメモリ（ＲＯＭ）、ランダムアクセスメモリ（ＲＡＭ）、これら２つの組み合わせ、あるいは情報を記憶する任意のタイプのデバイスを含み、プロセッサ１３５５に命令１３５７ａおよびデータ１３５９ａを与える。メモリ１３６１の一部分は、不揮発性ランダムアクセスメモリ（ＮＶＲＡＭ）も含んでよい。命令１３５７ｂおよびデータ１３５９ｂは、プロセッサ１３５５にも存在する。プロセッサ１３５５に読み込まれた命令１３５７ｂおよび／またはデータ１３５９ｂは、プロセッサ１３５５による実行または処理のために読み込まれた、メモリ１３６１からの命令１３５７ａおよび／またはデータ１３５９ａも含んでよい。命令１３５７ｂは、上述の方法３００の１つ以上を実装するためにプロセッサ１３５５によって実行される。
【０２０２】
ｅＮＢ１３６０は、データの送受信を可能にするための１つ以上の送信機１３１７および１つ以上の受信機１３７８が入った筺体も含む。送信機（単数または複数）１３１７および受信機（単数または複数）１３７８は、１つ以上のトランシーバ１３７６に組み合わされてもよい。１つ以上のアンテナ１３８０ａ〜ｎは、筺体に取り付けられて、トランシーバ１３７６に電気的に結合される。
【０２０３】
ｅＮＢ１３６０の様々なコンポーネントは、データバスに加えて電力バス、制御信号バスおよびステータス信号バスを含む、バスシステム１３６３によって結合される。しかしながら、明確さのために、図１３では様々なバスがバスシステム１３６３として示される。ｅＮＢ１３６０は、信号処理用のデジタル信号プロセッサ（ＤＳＰ）１３６５も含んでよい。ｅＮＢ１３６０は、ｅＮＢ１３６０の機能へのユーザ・アクセスを提供する通信インターフェース１３６７も含んでよい。図１３に示されるｅＮＢ１３６０は、具体的なコンポーネントのリスティングではなく機能ブロック図である。
【０２０４】
図１４は、キャリアアグリゲーションを行うためのシステムおよび方法が実装されたＵＥ１４０２の一実装を示すブロック図である。ＵＥ１４０２は、送信手段１４５８、受信手段１４２０および制御手段１４２４を含む。送信手段１４５８、受信手段１４２０および制御手段１４２４は、上の図２および図１２に関連して記載された機能の１つ以上を行うように構成される。上の図１２は、図１４の具体的な装置構造の一例を示す。図２および図１２の機能の１つ以上を実現するために、他の様々な構造が実装されてもよい。例えば、ＤＳＰがソフトウェアによって実現されてもよい。
【０２０５】
図１５は、キャリアアグリゲーションを行うためのシステムおよび方法が実装されたｅＮＢ１５６０の一実装を示すブロック図である。ｅＮＢ１５６０は、送信手段１５１７、受信手段１５７８および制御手段１５８２を含む。送信手段１５１７、受信手段１５７８および制御手段１５８２は、上の図３および図１３に関連して記載された機能の１つ以上を行うように構成される。上の図１３は、図１５の具体的な装置構造の一例を示す。図３および図１３の機能の１つ以上を実現するために、他の様々な構造が実装されてもよい。例えば、ＤＳＰがソフトウェアによって実現されてもよい。
【０２０６】
用語「コンピュータ可読媒体」は、コンピュータまたはプロセッサによってアクセスできる任意の利用可能な媒体を指す。用語「コンピュータ可読媒体」は、本明細書では、非一時的かつ有形のコンピュータおよび／またはプロセッサ可読媒体を示す。限定ではなく、例として、コンピュータ可読またはプロセッサ可読媒体は、ＲＡＭ、ＲＯＭ、ＥＥＰＲＯＭ、ＣＤ−ＲＯＭまたは他の光ディスク記憶、磁気ディスク記憶もしくは他の磁気記憶デバイス、あるいは命令の形態の所望のプログラムコードまたはデータ構造を載せるか、または記憶するために用いることができ、コンピュータまたはプロセッサによってアクセスできる任意の他の媒体を備える。ディスク（ｄｉｓｋ）およびディスク（ｄｉｓｃ）は、本明細書では、コンパクトディスク（ＣＤ：ｃｏｍｐａｃｔ  ｄｉｓｃ）、レーザディスク（ｌａｓｅｒ  ｄｉｓｃ）、光ディスク（ｏｐｔｉｃａｌ  ｄｉｓｃ）、デジタルバーサタイルディスク（ＤＶＤ：ｄｉｇｉｔａｌ  ｖｅｒｓａｔｉｌｅ  ｄｉｓｃ）、フロッピーディスク（ｆｌｏｐｐｙ  ｄｉｓｋ）およびＢｌｕ−ｒａｙ（登録商標）ディスク（ｄｉｓｃ）を含み、ディスク（ｄｉｓｋ）は、通常、磁気的にデータを再生し、一方でディスク（ｄｉｓｃ）は、レーザを用いて光学的にデータを再生する。
【０２０７】
留意すべきは、本明細書に記載される方法の１つ以上がハードウェアで実装されてもよく、および／またはハードウェアを用いて行われてもよいことである。例えば、本明細書に記載される方法の１つ以上は、チップセット、特定用途向け集積回路（ＡＳＩＣ）、大規模集積回路（ＬＳＩ）または集積回路などで実装されてもよく、および／またはそれらを用いて実現されてもよい。
【０２０８】
本明細書に開示されるそれぞれの方法は、記載される方法を達成するための１つ以上のステップまたは動作を備える。本方法のステップおよび／または動作は、特許請求の範囲から逸脱することなく、相互に交換されてもよく、および／または単一のステップに組み合わされてもよい。言い換えれば、記載される方法の適切なオペレーションのためにステップまたは動作の特定の順序が必要とされない限り、特許請求の範囲から逸脱することなく、特定のステップおよび／または動作の順序および／または使用が修正されてもよい。
【０２０９】
当然のことながら、特許請求の範囲は、上に示された通りの構成および構成要素には限定されない。特許請求の範囲から逸脱することなく、本明細書に記載される配置、オペレーション、ならびにシステム、方法、および装置の詳細に様々な修正、変更および変形がなされてもよい。
【図１】
0006343336.tif 000023
【図２】
0006343336.tif 000024
【図３】
0006343336.tif 000025
【図４】
0006343336.tif 000026
【図５】
0006343336.tif 000027
【図６】
0006343336.tif 000028
【図７Ａ】
0006343336.tif 000029
【図７Ｂ】
0006343336.tif 000030
【図８Ａ】
0006343336.tif 000031
【図８Ｂ】
0006343336.tif 000032
【図９】
0006343336.tif 000033
【図１０】
0006343336.tif 000034
【図１１】
0006343336.tif 000035
【図１２】
0006343336.tif 000036
【図１３】
0006343336.tif 000037
【図１４】
0006343336.tif 000038
【図１５】
0006343336.tif 000039